(57)【要約】  電力をワイヤレスで受信するように構成されたカメラシステム及び方法が、記載される。いくつかの例によるワイヤレスエネルギー伝送システムは、携帯電話などの通信デバイス内に配置された、又は前記通信デバイスに取り付けられたワイヤレスエネルギーの送信機と、ウェアラブルカメラ１２００などの通信デバイスではない電子ウェアラブルデバイス内に配置された、距離を離した受信機とを含む。
2018509788.tif 000002
【特許請求の範囲】
【請求項１】
カメラであって、
画像取り込みデバイスと、
ベースユニットを含むワイヤレス電力伝送システムの距離を離した送信コイルから電力をワイヤレスで受信するように構成された受信機と、
ワイヤレスで受信された電力を蓄えるために前記受信機に結合された再充電可能なバッテリと、
前記画像取り込みデバイスによって取り込まれた画像を記憶するように構成されたメモリと、
を備え、
前記カメラが、前記画像取り込みデバイスによって取り込まれた１つ以上の画像を含むデータを別のコンピューティングデバイスに転送するように構成される、
ことを特徴とするカメラ。
【請求項２】
請求項１に記載のカメラであって、
前記受信機が磁性コアを有する受信コイルを備える、
ことを特徴とするカメラ。
【請求項３】
請求項２に記載のカメラであって、
前記受信コイルが、前記受信コイルと送信コイルの間の配向に関係無く、電力を前記送信コイルから受信するように構成される、
ことを特徴とするカメラ。
【請求項４】
請求項２に記載のカメラであって、
前記磁性コアがフェライトコアを備える、
ことを特徴とするカメラ。
【請求項５】
請求項１に記載のカメラであって、
前記カメラがウェアラブルカメラである、
ことを特徴とするカメラ。
【請求項６】
請求項１に記載のカメラであって、
少なくとも前記画像取り込みデバイス、受信コイル、プロセッサ、及び前記メモリが、ウェアラブル物品に移動可能に連結されるように構成されたハウジング内に封入される、
ことを特徴とするカメラ。
【請求項７】
請求項６に記載のカメラであって、
前記ハウジングが、ウェアラブルカメラをアイウェアに磁力により取り付けるための１つ以上の磁石を備えるガイドを含む、
ことを特徴とするカメラ。
【請求項８】
請求項１に記載のカメラであって、
前記カメラが防水性である、
ことを特徴とするカメラ。
【請求項９】
請求項１に記載のカメラであって、
前記別のコンピューティングデバイスが前記ベースユニットである、
ことを特徴とするカメラ。
【請求項１０】
請求項１に記載のカメラであって、
マイクロフォンをさらに備える、
ことを特徴とするカメラ。
【請求項１１】
請求項１０に記載のカメラであって、
前記カメラが、可聴コマンドを検出し、前記可聴コマンドに応答して画像を取り込むように構成される、
ことを特徴とするカメラ。
【請求項１２】
請求項１に記載のカメラであって、
前記メモリ内に記憶された前記画像の１つ以上を前記ワイヤレス電力伝送システムに送信するように構成された送信機をさらに備える、
ことを特徴とするカメラ。
【請求項１３】
請求項１に記載のカメラであって、
近接するワイヤレス電力受信機を検出するために近接信号をブロードキャストするようにさらに構成される、
ことを特徴とするカメラ。
【請求項１４】
請求項１に記載のカメラであって、
前記ハウジングが、第１の開口部及び前記第１の開口部上に広がる光透過性材料を含み、
前記ハウジングが、第２の開口部及び前記第２の開口部上に広がる音響透過性材をさらに含む、
ことを特徴とするカメラ。
【請求項１５】
請求項１に記載のカメラであって、
ユーザ入力を受信するための少なくとも１つのユーザ制御装置をさらに備える、
ことを特徴とするカメラ。
【請求項１６】
請求項１に記載のカメラであって、
前記少なくとも１つのユーザ制御装置が静電容量スイッチを備える、
ことを特徴とするカメラ。
【請求項１７】
請求項１に記載のカメラであって、
状態指示器、プライバシー指示器、又はこれらの組み合わせをさらに備える、
ことを特徴とするカメラ。
【請求項１８】
請求項１に記載のカメラであって、
前記カメラが固定リングと係合するための開口を備える、
ことを特徴とするカメラ。
【請求項１９】
請求項１８に記載のカメラであって、
前記カメラが、アイウェアフレーム内のテンプルガイドと係合するように構成されたガイドを含み、
前記開口の直径の平面は前記ガイドの長手方向に平行である、
ことを特徴とするカメラ。
【請求項２０】
請求項１９に記載のカメラであって、
透明プラスチック材料で作製された前記固定リングをさらに備える、
ことを特徴とするカメラ。
【請求項２１】
請求項１９に記載のカメラであって、
０．０１ｍｍより大きくかつ２ｍｍ未満のコア直径を含む前記固定リングをさらに備える、
ことを特徴とするカメラ。
【請求項２２】
請求項２１に記載のカメラであって、
前記コア直径が１ｍｍ未満である、
ことを特徴とするカメラ。
【請求項２３】
請求項１に記載のカメラであって、
前記カメラがビューファインダ無しである、
ことを特徴とするカメラ。
【請求項２４】
システムであって、
ワイヤレス電力供給に合わせて構成され、磁性コアを有する送信コイルを備える送信機と、前記送信機に結合されたバッテリとを備えるベースユニットと、
前記ベースユニットから分離されたウェアラブルカメラであって、前記ベースユニットから充電距離内に留まる間電力を前記ベースユニットから受信するために前記送信機に誘導結合され、磁性コアを有する受信コイルを含む受信機を含むウェアラブルカメラと、
を備え、
前記送信コイルの寸法は、前記受信コイルの寸法の少なくとも２倍である、
ことを特徴とするシステム。
【請求項２５】
請求項２４に記載のシステムであって、
前記送信コイルの前記寸法が、前記送信コイルの直径、前記送信コイルの巻線を形成するワイヤの長さ若しくは直径、前記送信コイルの巻線の数、又は、前記送信コイルの前記コアの長さ、直径若しくは表面積であり、
前記受信コイルの前記寸法が、それぞれ、前記受信コイルの直径、前記受信コイルの巻線を形成するワイヤの長さ若しくは直径、前記受信コイルの巻線の数、又は、前記受信コイルの前記コアの長さ、直径若しくは表面積である、
ことを特徴とするシステム。
【請求項２６】
請求項２４に記載のシステムであって、
前記送信機及び送信機が１００未満のＱ値で作動するように構成される、
ことを特徴とするシステム。
【請求項２７】
請求項２４に記載のシステムであって、
前記送信機及び受信機が、５０ｋＨｚ又は５００ｋＨｚの範囲内の周波数で作動するように構成され、
前記送信機及び受信機は、弱共振で作動するように構成され、
前記システムは、ある量の誘導された磁束を用いて作動するように構成される、
ことを特徴とするシステム。
【請求項２８】
請求項２４に記載のシステムであって、
前記ベースユニットが携帯用通信デバイスに機械的に連結される、
こと特徴とするシステム。
【請求項２９】
請求項２４に記載のシステムであって、
前記送信機が、前記ベースユニットに対する電子デバイスの配向に関係無く、前記ウェアラブルカメラを含む１つ以上の電子デバイスに電力を送信するように構成された無指向性アンテナを備える、
ことを特徴とするシステム。
【請求項３０】
請求項２４に記載のシステムであって、
前記ウェアラブルカメラが、磁力によりアイウェアに取り付けられるように構成される、
ことを特徴とするシステム。
【請求項３１】
方法であって、
ウェアラブルカメラにワイヤレスで電力を送信するために前記ウェアラブルカメラ内の受信コイルと誘導結合されるように構成された送信コイルを備えるベースユニットをウェアラブルカメラに近接して置くステップと、
前記ベースユニットによって前記ウェアラブルカメラを検出するステップと、
電子デバイスが前記ベースユニットの充填範囲内に留まる間、又はウェアラブルカメラの充電状態信号が前記ウェアラブルカメラの完全に充填された状態に対応するまで、電力を前記ベースユニットから前記ウェアラブルカメラにワイヤレスで送信するステップと、
を含むことを特徴とする方法。
【請求項３２】
請求項３１に記載の方法であって、
前記ウェアラブルカメラによって検出された可聴コマンドに応答して画像を取り込むステップ、
をさらに含むことを特徴とする方法。
【請求項３３】
請求項３１に記載の方法であって、
前記カメラによって取り込まれた画像を前記ベースユニットにワイヤレスで送信するステップ、
をさらに含むことを特徴とする方法。
【請求項３４】
請求項３１に記載の方法であって、
前記ウェアラブルカメラを検出する前記ステップが、信号を前記ウェアラブルカメラから自動的に検出するステップを含み、
前記信号は、前記ウェアラブルカメラによってブロードキャストされ、また前記ベースユニットからの問い合わせ信号に応答して前記ベースユニットに送信される、
ことを特徴とする方法。
【請求項３５】
請求項３１に記載の方法であって、
電力を前記ベースユニットからワイヤレスで送信するステップが、電力信号を体に安全なレベルでブロードキャストするステップを含む、
ことを特徴とする方法。
【請求項３６】
請求項３１に記載の方法であって、
電力を前記ベースユニットからワイヤレスで送信するステップが、５０ｋＨｚ又は５００ｋＨｚの範囲の周波数で電力信号をブロードキャストするステップを含む、
ことを特徴とする方法。
【請求項３７】
画像センサ、バッテリ、及びメモリを備えるカメラであって、
ビューファインダ無しとし、アイウェアに取り付け可能とし、前記アイウェアから取り外し可能とするように構成され、
前記カメラの前記アイウェアからの偶発的な取り外しの発生時、前記カメラの損失を防止するための安全特徴をさらに備える、
ことを特徴とするカメラ。
【請求項３８】
請求項３７に記載のカメラであって、
前記バッテリが、再充電可能なバッテリであり、
前記カメラは、前記バッテリに動作可能に結合され、
前記バッテリを充電するために電力信号をワイヤレスで受信するように構成された受信機をさらに備える、
ことを特徴とするカメラ。
【請求項３９】
方法であって、
第１の画像を取り込むステップと、
前記第１の画像をコンピューティングシステムにワイヤレスで送信するステップと、
前記第１の画像を前記コンピューティングシステムのディスプレイ上に表示するステップと、
前記第１の画像の中心の場所又は前記第１の画像の配向に対する調整の指示を受信するステップと、
前記第１の画像の前記中心の前記場所又は前記第１の画像の前記配向に対する前記調整に対応する構成パラメータを生成するステップと、
前記構成パラメータを前記コンピューティングシステムのメモリ内に記憶するステップと、
カメラから第２の画像を受信した後、前記構成パラメータを検索するステップと、
前記第２の画像を前記構成パラメータにしたがって自動的に調整するステップと、
を含むことを特徴とする方法。
【請求項４０】
請求項３９に記載の方法であって、
前記第２の画像を自動的に修正するステップが、前記第２の画像を前記構成パラメータに基づいて自動的にトリミングするステップを含む、
ことを特徴とする方法。
【請求項４１】
請求項３９に記載の方法であって、
前記第１の画像を取り込むステップが、ビューファインダ無しであるカメラによって前記第１の画像を取り込むステップを含む、
ことを特徴とする方法。
【請求項４２】
方法であって、
ビューファインダ無しであるカメラによって画像を取り込むステップと、
前記画像をコンピューティングシステムにワイヤレスで送信するステップと、
前記コンピューティングシステムを用いて、前記画像内の対象物の数を特定するステップと、
前記数の対象物から中央の対象物を決定するステップと、
修正された画像を生成するために前記中央の対象物上で前記画像を自動的に中央に配置するステップと、
前記修正された画像を記憶するステップと、
を含むことを特徴とする方法。
【請求項４３】
請求項４２に記載の方法であって、
前記対象物が人の頭部である、
ことを特徴とする方法。
【発明の詳細な説明】
【技術分野】
【０００１】
本開示は、カメラなどの１つ以上の電子デバイスに電力をワイヤレスで供給するためのシステム及び方法に関する。
【背景技術】
【０００２】
本出願は、２０１４年１２月２３日に出願された「ＣＡＭＥＲＡ  ＳＹＳＴＥＭ  ＣＯＭＰＲＩＳＩＮＧ  ＷＩＲＥＬＥＳＳ  ＰＯＷＥＲ  ＡＮＤ  ＤＡＴＡ  ＴＲＡＮＳＦＥＲ」と題する米国仮特許出願第６２／０９５，９２０号の先の出願日の、米国特許法第１１９条の下での利益を主張する。前述の仮特許出願は、あらゆる目的のためにその全体を本願に引用して援用する。
【０００３】
本出願は、２０１５年１月１６日に出願された「ＥＮＨＡＮＣＥＤ  ＣＡＭＥＲＡ  ＳＹＳＴＥＭ  ＣＯＭＰＲＩＳＩＮＧ  ＷＩＲＥＬＥＳＳ  ＰＯＷＥＲ  ＡＮＤ  ＤＡＴＡ  ＴＲＡＮＳＦＥＲ」と題する米国仮特許出願第６２／１０４，４１８号の先の出願日の、米国特許法第１１９条の下での利益を主張する。前述の仮特許出願は、あらゆる目的のためにその全体を本願に引用して援用する。
【０００４】
本出願は、２０１５年２月９日に出願された「ＥＮＨＡＮＣＥＤ  ＣＡＭＥＲＡ  ＳＹＳＴＥＭ  ＣＯＭＰＲＩＳＩＮＧ  ＨＩＧＨＬＹ  ＲＥＳＯＮＡＮＴ  ＣＯＵＰＬＩＮＧ」と題する米国仮特許出願第６２／１１３，５７３号の先の出願日の、米国特許法第１１９条の下での利益を主張する。前述の仮特許出願は、あらゆる目的のためにその全体を本願に引用して援用する。
【０００５】
本出願は、２０１５年２月１６日に出願された「ＦＵＲＴＨＥＲ  ＥＮＨＡＮＣＥＤ  ＣＡＭＥＲＡ  ＳＹＳＴＥＭ  ＣＯＭＰＲＩＳＩＮＧ  ＨＩＧＨ  ＲＥＳＯＮＡＮＴ  ＣＯＵＰＬＩＮＧ」と題する米国仮特許出願第６２／１１６，６４８号の先の出願日の、米国特許法第１１９条の下での利益を主張する。前述の仮特許出願は、あらゆる目的のためにその全体を本願に引用して援用する。
【０００６】
本出願は、２０１５年３月３日に出願された「ＨＩＧＨＬＹ  ＲＥＳＯＮＡＮＴ  ＣＯＵＰＬＥＤ  ＣＭＡＥＲＡ  ＳＹＳＴＥＭ」と題する米国仮特許出願第６２／１２７，６２２号の先の出願日の、米国特許法第１１９条の下での利益を主張する。前述の仮特許出願は、あらゆる目的のためにその全体を本願に引用して援用する。
【０００７】
本出願は、２０１５年３月４日に出願された「ＣＡＭＥＲＡ  ＥＹＥＷＥＡＲ  ＳＹＳＴＥＭ」と題する米国仮特許出願第６２／１２８，３６２号の先の出願日の、米国特許法第１１９条の下での利益を主張する。前述の仮特許出願は、あらゆる目的のためにその全体を本願に引用して援用する。
【０００８】
本出願は、２０１５年４月２８日に出願された「ＣＡＭＥＲＡ  ＳＹＳＴＥＭ  ＣＡＰＡＢＬＥ  ＯＦ  ＷＩＲＥＬＥＳＳ  ＥＮＥＲＧＹ  ＴＲＡＮＳＦＥＲ」と題する米国仮特許出願第６２／１５３，９９９号の先の出願日の、米国特許法第１１９条の下での利益を主張する。前述の仮特許出願は、あらゆる目的のためにその全体を本願に引用して援用する。
【０００９】
本出願は、２０１５年４月２８日に出願された「ＣＡＭＥＲＡ  ＥＹＥＷＥＡＲ  ＳＹＳＴＥＭ」と題する米国仮特許出願第６２／１５４，０１９号の先の出願日の、米国特許法第１１９条の下での利益を主張する。前述の仮特許出願は、あらゆる目的のためにその全体を本願に引用して援用する。
【００１０】
本出願は、２０１５年５月２８日に出願された「ＦＵＲＴＨＥＲ  ＥＮＨＡＮＣＥＤ  ＣＡＭＥＲＡ  ＳＹＳＴＥＭ  ＣＡＰＡＢＬＥ  ＯＦ  ＷＩＲＥＬＥＳＳ  ＥＮＥＲＧＹ  ＴＲＡＮＳＦＥＲ」と題する米国仮特許出願第６２／１６７，７３９号の先の出願日の、米国特許法第１１９条の下での利益を主張する。前述の仮特許出願は、あらゆる目的のためにその全体を本願に引用して援用する。
【００１１】
本出願は、２０１５年６月１０日に出願された「ＲＯＢＵＳＴ  ＣＡＭＥＲＡ  ＳＹＳＴＥＭ  ＣＡＰＡＢＬＥ  ＯＦ  ＷＩＲＥＬＥＳＳ  ＥＮＥＲＧＹ  ＴＲＡＮＳＦＥＲ」と題する米国仮特許出願第６２／１７３，７８８号の先の出願日の、米国特許法第１１９条の下での利益を主張する。前述の仮特許出願は、あらゆる目的のためにその全体を本願に引用して援用する。
【００１２】
本出願は、２０１５年６月１６日に出願された「ＷＩＲＥＬＥＳＳ  ＥＮＥＲＧＹ  ＴＲＡＮＳＦＥＲ  ＣＡＭＥＲＡ  ＳＹＳＴＥＭ」と題する米国仮特許出願第６２／１８０，１９９号の先の出願日の、米国特許法第１１９条の下での利益を主張する。前述の仮特許出願は、あらゆる目的のためにその全体を本願に引用して援用する。
【００１３】
本出願は、２０１５年６月２９日に出願された「ＷＩＲＥＬＥＳＳ  ＥＮＥＲＧＹ  ＴＲＡＮＳＦＥＲ  ＣＡＭＥＲＡ  ＳＹＳＴＥＭ」と題する米国仮特許出願第６２／１８６，３４１号の先の出願日の、米国特許法第１１９条の下での利益を主張する。前述の仮特許出願は、あらゆる目的のためにその全体を本願に引用して援用する。
【００１４】
本出願は、２０１５年７月８日に出願された「ＷＩＲＥＬＥＳＳ  ＥＮＥＲＧＹ  ＴＲＡＮＳＦＥＲ  ＣＡＭＥＲＡ  ＳＹＳＴＥＭ  ＣＯＭＰＲＩＳＩＮＧ  ＥＮＥＲＧＹ  ＨＡＲＶＥＳＴＩＮＧ」と題する米国仮特許出願第６２／１８９，９１６号の先の出願日の、米国特許法第１１９条の下での利益を主張する。前述の仮特許出願は、あらゆる目的のためにその全体を本願に引用して援用する。
【発明の概要】
【発明が解決しようとする課題】
【００１５】
市販の電子ウェアラブルデバイスの数及びタイプは、拡大し続けている。電子ウェアラブルデバイス市場は、この先数十年で４倍を上回ることが予測されている。この成長を実現するには、いくつかのハードルが依然として存在している。２つの大きなハードルは、既存の電子ウェアラブルデバイスの美観／美的性及びそれらの限定されたバッテリ寿命である。消費者は、一般的に、電子ウェアラブルデバイスを小さくし、あまり目立たなくし、頻繁に充電しなくてよいことを望んでいる。一般的に、消費者は、機能性を損なって所望の小さいフォームファクタ及び延長されたバッテリ寿命を得ようとは考えていない。より小さいフォームファクタ及びより長いバッテリ寿命を得ようとする望みは、互いに真っ向から矛盾しており、従来のデバイスが対処に苦しんでいる目標である。したがって、この分野でのさらなる解決策が、望ましくなり得る。
【課題を解決するための手段】
【００１６】
本開示のいくつかの例によるカメラは、画像取り込みデバイスと、ベースユニットを含むワイヤレス電力伝送システムの距離を離した送信コイルから電力をワイヤレスで受信するように構成された受信機と、ワイヤレスで受信された電力を蓄えるために受信機に結合された再充電可能なバッテリと、画像取り込みデバイスによって取り込まれた画像を記憶するように構成されたメモリとを含み得る。いくつかの例では、別のコンピューティングデバイスは、ワイヤレス電力伝送システムのベースユニットであってよい。カメラを、画像取り込みデバイスによって取り込まれた１つ以上の画像を含むデータを別のコンピューティングデバイスに転送するように構成することができる。いくつかの例では、カメラはウェアラブルカメラであってよい。いくつかの例では、カメラは防水性であり得る。いくつかの例では、カメラはビューファインダ無しとすることができる。
【００１７】
いくつかの例では、カメラの受信機は、磁性コアを有する受信コイルを含み得る。いくつかの例では、磁性コアは、フェライトコアを含み得る。いくつかの例では、受信コイルは、受信コイルと送信コイルの間の配向に関係無く電力を送信コイルから受信するように構成される。いくつかの例では、少なくとも画像取り込みデバイス、受信コイル、プロセッサ及びメモリは、ウェアラブル物品に移動可能に連結されるように構成されたハウジング内に封入される。いくつかの例では、ハウジングは、ウェアラブルカメラをアイウェアに磁力により取り付けるための１つ以上の磁石を備えるガイドを含む。いくつかの例では、ハウジングは、第１の開口部及び第１の開口部上に広がる光透過性材料と、第２の開口部及び第２の開口部上に広がる音響透過性材料とを含み得る。
【００１８】
いくつかの例では、カメラはマイクロフォンを含み得る。いくつかの例では、カメラを、可聴コマンドを検出し、可聴コマンドに応答して画像を取り込むように構成することができる。いくつかの例では、カメラは、メモリ内に記憶された画像の１つ以上をワイヤレス電力伝送システムに送信するように構成された送信機を含み得る。いくつかの例では、カメラを、近接するワイヤレス電力受信機を検出するために近接信号をブロードキャストするように構成することができる。いくつかの例では、カメラは、ユーザ入力を受信するための少なくとも１つのユーザ制御装置を含み得る。いくつかの例では、少なくとも１つのユーザ制御装置は、静電容量スイッチを含み得る。いくつかの例では、カメラは、状態指示器、プライバシー指示器、又はこれらの組み合わせを含み得る。いくつかの例では、カメラは、固定リングと係合するための開口を含み得る。さらなる例では、カメラは、アイウェアフレーム内のテンプルガイドと係合するように構成されたガイドを含むことができ、開口の直径の平面は、ガイドの長手方向に平行である。いくつかの例では、固定リングを、透明プラスチック材料で作製できる。いくつかの例では、固定リングは、０．０１ｍｍより大きくかつ２ｍｍ未満のコア直径を含み得る。いくつかの例では、コア直径は１ｍｍ未満とすることができる。
【００１９】
本開示によるシステムは、ワイヤレス電力供給に合わせて構成された送信機と、送信機に結合されたバッテリとを含むベースユニットであって、送信機は、磁性コアを有する送信コイルを含む、ベースユニットを含み得る。システムは、ベースユニットから分離された、ウェアラブルカメラであってよいカメラであって、ベースユニットから充電距離内に留まる間電力をベースユニットから受信するために送信機に誘導結合された受信機を含み、受信機は、磁性コアを有する受信コイルを含み、送信コイルの寸法は、受信コイルの寸法の少なくとも２倍である、カメラをさらに含み得る。いくつかの例では、送信コイルの寸法は、送信コイルの直径、送信コイルの巻線を形成するワイヤの長さ若しくは直径、送信コイルの巻線の数、又は送信コイルのコアの長さ、直径若しくは表面積とすることができ、受信コイルの寸法は、それぞれ受信コイルの直径、受信コイルの巻線を形成するワイヤの長さ若しくは直径、受信コイルの巻線の数、又は受信コイルのコアの長さ、直径若しくは表面積とすることができる。いくつかの例では、送信機及び受信機を、１００未満のＱ値で作動するように構成することができる。いくつかの例では、送信機及び受信機を、５０ｋＨｚ又は５００ｋＨｚの範囲内の周波数で作動するように構成することができ、この場合送信機及び受信機は、弱共振で作動するように構成され、システムは、ある量の誘導された磁束を用いて作動するように構成される。いくつかの例では、ベースユニットを携帯用通信デバイスに機械的に連結することができる。いくつかの例では、送信機は、ベースユニットに対する電子デバイスの配向に関係無く、カメラを含む１つ以上の電子デバイスに電力を送信するように構成された無指向性アンテナを含み得る。いくつかの例では、ウェアラブルカメラであってよいカメラを、磁力によりアイウェアに取り付けられるように構成することができる。
【００２０】
いくつかの例による方法は、ベースユニットをウェアラブルカメラに近接して置くステップであって、ベースユニットは、ウェアラブルカメラに電力をワイヤレスで送信するためにウェアラブルカメラ内の受信コイルと誘導結合されるように構成された送信コイルを備える、ステップと、ベースユニットによってウェアラブルカメラを検出するステップと、電子デバイスがベースユニットの充填範囲内に留まる間、又はウェアラブルカメラの充電状態信号がウェアラブルカメラの完全に充填された状態に対応するまで、電力をベースユニットからウェアラブルカメラにワイヤレスで送信するステップとを含み得る。一部の例では、方法は、ウェアラブルカメラによって検出された可聴命令に応答して画像を取り込むステップをさらに含み得る。いくつかの例では、方法は、カメラによって取り込まれた画像をベースユニットにワイヤレスで送信するステップをさらに含み得る。いくつかの例では、ウェアラブルカメラを検出するステップは、信号をウェアラブルカメラから自動的に検出するステップを含み、信号は、ウェアラブルカメラによってブロードキャストされ、又はベースユニットからの問い合わせ信号に応答してベースユニットに送信される。いくつかの例では、電力をベースユニットからワイヤレスで送信するステップは、電力信号を体に安全なレベルでブロードキャストするステップを含む。いくつかの例では、電力をベースユニットからワイヤレスで送信するステップは、５０ｋＨｚ又は５００ｋＨｚの範囲内の周波数で電力信号をブロードキャストするステップを含む。
【００２１】
本発明の特徴、態様、及び付随する利点は、添付の図面と併せて解釈されるとき、現在企図されている本発明の実施の最良の形態を含む、様々な実施形態の以下の詳細な説明から明らかになるであろう。
【図面の簡単な説明】
【００２２】
【図１】本明細書におけるいくつかの例によるカメラの等角図である。
【図２】線２−２で切り取られた図１におけるカメラの断面図である。
【図３Ａ】図１におけるカメラの分解図である。
【図３Ｂ】図１におけるカメラの分解図である。
【図４Ａ】図１におけるカメラの等角図である。
【図４Ｂ】図１におけるカメラの頂面図である。
【図４Ｃ】図１におけるカメラの底面図である。
【図４Ｄ】図１におけるカメラの前面図である。
【図４Ｅ】図１におけるカメラの後面図である。
【図４Ｆ】図１におけるカメラの左側面図である。
【図４Ｇ】図１におけるカメラの右側面図である。
【図５】本開示の例によるワイヤレス電力伝送システムのブロック図である。
【図６】本開示による、アイウェアに取り付けられた電子デバイスの例を示す図である。
【図７】図１におけるカメラなどの電子デバイスの受信コイル及び本開示によるベースユニット用の送信コイルの例を示す図である。
【図８】本開示の例による携帯電話ケースのフォームファクタの形態で実装されるベースユニットのブロック図である。
【図９Ａ】本開示のさらなる例による、携帯電話として実施されるベースユニットの等角図である。
【図９Ｂ】本開示のさらなる例による、携帯電話として実施されるベースユニットの分解等角図である。
【図１０】本明細書におけるいくつかの例によるプロセスの流れ図である。
【図１１】本開示によるウェアラブルカメラとベースユニットの典型的な使用シナリオを示す図である。
【図１２Ａ】本明細書におけるさらなる例によるカメラの図である。
【図１２Ｂ】本明細書におけるさらなる例によるカメラの図である。
【図１２Ｃ】本明細書におけるさらなる例によるカメラの図である。
【図１２Ｄ】本明細書におけるさらなる例によるカメラの図である。
【図１２Ｅ】本明細書におけるさらなる例によるカメラの図である。
【図１２Ｆ】本明細書におけるさらなる例によるカメラの図である。
【図１３】本明細書におけるさらに別の例によるカメラの等角図である。
【図１４】本明細書におけるいくつかの例による、カメラによって取り込まれた画像の自動処理のプロセスの流れ図である。
【図１５】本明細書におけるいくつかの例による、画像の自動処理のためのシステムを示す図である。
【発明を実施するための形態】
【００２３】
電子デバイス、例えばウェアラブルカメラなどのカメラにワイヤレスで電力供給するためのシステム、方法、及び装置が記載される。いくつかの例によれば、電子デバイス、例えばウェアラブルカメラを、ワイヤレス電力伝送システムの一部であってよいベースユニットの距離を離した送信機から電力をワイヤレスで受信するように構成することができる。ベースユニット及び／又はウェアラブル電子デバイスは、任意の数のエネルギー送信デバイス（例えばベースユニット）及び任意の数のエネルギー受信デバイス（例えばウェアラブル電子デバイス）を含み得るエコシステムの一部であってよい。電子デバイス（例えばカメラ）を、ベースユニットの充電ゾーン（例えばホットスポット）内に置くことができ、電子デバイスがホットスポット内に留まる間電力をベースユニットからワイヤレスで受信するように構成することができる。電子デバイスは、受信機（例えば受信コイル）を含むことができ、ベースユニットは、送信機（例えば送信コイル）を含むことができる。ウェアラブル電子デバイスの受信機及びベースユニットの送信機を、ウェアラブル電子デバイスがベースユニットから電力をワイヤレスで受信できるように誘導結合することができる。送信機及び受信機を、体に安全な周波数で作動するように構成することができる。例えば、送信機及び受信機を、約５０ｋＨｚ又は約５００ｋＨｚの範囲内の周波数で作動するように構成することができる。いくつかの例では、送信機及び受信機を、約７５ｋＨｚから約１７５ｋＨｚの範囲内の周波数で作動するように構成することができる。いくつかの例では、送信機及び受信機を、弱共振で作動するように構成することができる。いくつかの例では、送信機及び受信機を、１００未満のＱ値で作動するように構成することができる。いくつかの例では、ワイヤレス電力伝送システムは、ある量の誘導された磁束を用いて作動することができる。
【００２４】
記載されるように、本明細書におけるいくつかの例による電子デバイスは、カメラであってよい。図１〜４は、本開示のいくつかの例によるカメラ１２００の図を示す。カメラ１２００を、視聴覚データを記録するように構成することができる。カメラ１２００は、画像取り込みデバイス１２１０と、バッテリ１２２０と、受信機１２３０と、メモリ１２４０と、制御装置１２５０とを含み得る。画像取り込みデバイス１２１０は、画像センサ１２１２と、光学的構成要素（例えばカメラレンズ１２１４）とを含み得る。画像取り込みデバイスを、多様な視覚データ、例えば静止画像、動画などを取り込むように構成することができる。したがって、画像又は画像データは、カメラ１２００によって取り込まれる（動画を含む）あらゆる画像を指すために交換可能に用いることができる。いくつかの例では、カメラ１２００を、音声データを記録するように構成することができる。例えば、カメラ１２００は、マイクロフォン１２８６を含むことができ、マイクロフォン１２８６は、これによって検出された音声を記憶するためのメモリ１２４０に動作可能に結合される。
【００２５】
制御装置１２５０は、ハードウェア及び／又はソフトウェアにおいて実施され得る。例えば、制御装置１２５０は、１つ以上の特定用途向け集積回路（ＡＳＩＣ）を用いて実施され得る。いくつかの例では、制御装置１２５０の機能の一部又はすべては、カメラに搭載されたメモリ（例えばメモリ１２４０）内に記憶され得るプロセッサ実行可能命令において実施され得る。いくつかの例では、カメラは、カメラの特定の機能を実行するための命令、例えば画像／動画の取り込みを開始する、データ転送を開始する、カメラのパラメータを設定するなどの命令をワイヤレスで受信することができる。プロセッサ実行可能命令は、カメラ１２００に搭載されたプロセッサ１２５２によって実行されたとき、以下で記載されるような機能を実行するようにカメラ１２００をプログラムすることができる。ハードウェア及び／又はソフトウェア構成要素の任意の組み合わせを用いて、本開示によるカメラ（例えばカメラ１２００）の機能を実施することができる。
【００２６】
バッテリ１２２０は、ニッケル水素（ＮｉＭＨ）、リチウムイオン（Ｌｉ−ｉｏｎ）又はリチウムイオンポリマー（Ｌｉ−ｉｏｎポリマー）バッテリなどの再充電可能なバッテリであってよい。バッテリ１２２０を、距離を離したワイヤレス電力伝送システムからワイヤレスで受信された電力を蓄えるために受信機に動作可能に結合することができる。いくつかの例では、バッテリを、カメラに搭載したエネルギー発生器（例えば、環境発電デバイス）に結合することができる。環境発電デバイスは、限定することなく、運動エネルギー環境発電デバイス、太陽電池、熱電発電装置、又は無線周波環境発電デバイスを含み得る。
【００２７】
受信機１２３０は、ワイヤレス電力伝送システム（例えばシステム１０）内のベースユニット（例えばベースユニット１００、３００）の一部であってよい、距離を離した送信コイル（例えばＴｘコイル１１２、Ｔｘコイル３１２）と誘導結合されるように構成された受信コイル１２３２を含み得る。受信コイル１２３２は、導電性巻線１２３６を備えた磁性コア１２３４を含み得る。巻線は、（銅巻線とも呼ばれる）銅ワイヤを含み得る。いくつかの例では、銅ワイヤは、モノリシック銅ワイヤ（例えば一本鎖ワイヤ）であってよい。いくつかの例では、銅ワイヤは、複鎖銅ワイヤ（例えばＬｉｔｚワイヤ）であってよく、複鎖銅ワイヤは、いくつかの例では表皮効果によって抵抗性を低減することができ、受信コイルと送信コイルの間の電力伝送を改良することができる。いくつかの例では、磁性コア１２３４は、フェライトコア（交換可能にフェライト棒と呼ばれる）であってよい。フェライトコアは、中程度の透磁性フェライト、例えばＦａｉｒ−Ｒｉｔｅ  Ｃｏｒｐｏｒａｔｉｏｎによって供給される７８材料を含み得る。いくつかの例では、フェライトコアは、ドイツ国のＶａｃｕｕｍｓｃｈｍｅｌｚｅによって供給されるＶｉｔｒｏｐｅｒｍ  ５００Ｆなどの高透磁性材料を含み得る。他のフェライト材料を含むフェライトコアが、用いられてよい。いくつかの例では、フェライトは、約２３００のマイクロ−ｉ（μ）の中程度の透磁性を有し得る。いくつかの例では、フェライトは、約２００から約５０００の範囲のマイクロ−ｉ（μ）の透磁性を有し得る。いくつかの例では、異なる磁性材料が磁性コアに用いられてよい。
【００２８】
いくつかの例では、受信機１２３０を、送信機（例えば、ベースユニット１００の送信機１１０）に緩く誘導結合するように構成することができる。例えば、受信コイル１２３２を、ベースユニットの送信コイルに緩く誘導結合するように構成することができる。以下でさらに記載されるように、送信コイルは、巻線を有する磁性コアを含み得る。同様の材料が、送信コイルのコア及び巻線に用いられてよいが、受信コイル及び送信コイルは、図Ｘに例示され、さらに記載されるようにサイズが大きく異なってよい。いくつかの例では、受信コイルを、受信コイルと送信コイルの間の相対配向に関係無く、電力を送信コイルから受信するように構成することができる。通常、本明細書における例によるベースユニットの送信コイルは、磁性コアを利用することができ、この磁性コアは、いくつかの例では、送信コイルによって与えられた磁場を、力線が磁性コアを優先的に通り抜けるように成形することができ、このようにして、部分的に誘導された磁束を用いることができ、ここでは磁束の一部分は、磁性コアによって誘導される。いくつかの例では、電子デバイスの受信コイル１２３２を、送信コイルに共振的に誘導結合するように構成することができる。
【００２９】
いくつかの例では、カメラのメモリ１２４０は、本明細書に記載されるカメラの機能を実行するためのプロセッサ実行可能命令を記憶することができる。そのような例では、マクロプロセッサは、メモリに動作可能に結合されてよく、カメラに機能を実行させる、例えば近接するワイヤレス電力受信機の検出時に電力を選択的に受信する、画像取り込みコマンドを受信したときに画像を取り込む、及び／又は画像をメモリ内に記憶するなどのプロセッサ実行可能命令を実行するように構成することができる。いくつかの例では、メモリ１２４０を、画像データ（例えば、カメラ１２００によって取り込まれた画像）を含むユーザデータを記憶するように構成することができる。いくつかの例では、ユーザデータは、構成パラメータを含み得る。メモリ１２４０及びプロセッサ１２５２などの特定の電子構成要素は、単数で論じられているが、カメラは、任意の数のメモリデバイス及び任意の数のプロセッサならびに他の適切に構成された電子構成要素を含み得ることが理解されるであろう。
【００３０】
メモリ１２４０及びプロセッサ１２５２を、主回路基板１２６０（例えば主ＰＣＢ）に接続することができる。主回路基板１２６０は、ワイヤレス通信デバイス（例えば、ワイファイ又はブルーツースチップ）、マイクロフォン及び関連する回路構成１２６８などの１つ以上の追加の構成要素などを支持することができる。いくつかの例では、これらの構成要素の１つ以上を、主回路基板１２６０に動作可能に結合された別個の回路基板（例えば補助基板１２６４）によって支持することができる。いくつかの例では、カメラの機能のいくつかを、複数の別個のＩＣチップに組み込むか又は単一の処理ユニットに一体化することができる。
【００３１】
カメラ１２００の電子構成要素を、家電産業において既知の多様な剛性プラスチック材料から作製できるハウジング１２８０内にパッケージ化することができる。いくつかの例では、カメラハウジング１２８０の厚さは、約０．３ｍｍから約１ｍｍの範囲とすることができる。いくつかの例では、厚さは約０．５ｍｍとすることができる。いくつかの例では、厚さは１ｍｍを超えることができる。本開示によるカメラは、小型化された自己完結型電子デバイス、例えば小型化された自動露出カメラであってよい。カメラ１２００は、約８ｍｍから約５０ｍｍの長さを有し得る。いくつかの例では、カメラ１２００は、約１２ｍｍから約４２ｍｍの長さを有し得る。いくつかの例では、カメラ１２００は、４２ｍｍを超えない長さを有し得る。いくつかの例では、カメラ１２００は、約１２ｍｍの長さとすることができる。カメラ１２００は、約８ｍｍから約１２ｍｍの幅を有し得る。いくつかの例では、カメラ１２００は、約９ｍｍの幅とすることができる。いくつかの例では、カメラ１２００は、約１０ｍｍを超えない幅を有し得る。いくつかの例では、カメラ１２００は、約８ｍｍから約１５ｍｍの高さを有し得る。いくつかの例では、カメラ１２００は、約９ｍｍの高さとすることができる。いくつかの例では、カメラ１２００は、約１４ｍｍを超えない高さを有し得る。いくつかの例では、カメラ１２００は、約５グラムから約１０グラムの重さとすることができる。いくつかの例では、カメラ１２００は、約７グラム以下の重さとすることができる。いくつかの例では、カメラ１２００は、約６，０００立方ミリメートル以下の体積を有し得る。いくつかの例では、カメラ１２００は防水性カメラであってよい。いくつかの例では、カメラは、例えばカメラ１２００の外部表面の少なくとも一部分を形成する又はコーティングする、伸展性材料を含み得る。これは、ユーザに機能性（例えば防水筐体からのボタンへのアクセス性）及び／又は快適感を与えることができる。
【００３２】
電子構成要素を１つ以上の回路基板（例えば主ＰＣＢ１２６０、補助回路基板１２６４）に接続することができ、基板及び／又はその上の構成要素間の電気接続を既知の技法を用いて形成することができる。いくつかの例では、回路を可撓性回路基板上に、又は成形された回路基板上に設け、それによって空間の使用を最適にし、小さいフォームファクタ内のカメラのパッケージ化を可能にすることができる。例えば、成形された相互接続デバイス１２６６を用いて、１つ以上の基板上の１つ以上の電子構成要素間に接続をもたらすことができる。電子構成要素を、小型化された筐体内に最適に嵌合するようにハウジング内に積み重ね、及び又は配置することができる。例えば、主回路基板１２６０を別の構成要素（例えばバッテリ１２２０）に隣接して設け、接着層１２６５を介してこれに取り付けることができる。いくつかの例では、主ＰＣＢは、基板の両側でＩＣチップを支持することができ、この場合、接着層を、ＩＣチップのパッケージ材、主ＰＣＢ上に設けられたスペーシング構造の表面及び／又は主ＰＣＢの表面に取り付けることができる。他の例では、主ＰＣＢ及び他の回路基板を、固定具などの他の従来の機械的手段によって取り付けることができる。
【００３３】
いくつかの例では、カメラ１２００は、防水性とすることができる。ハウジング１２８０は、内部電子装置（例えば、画像取り込みデバイス１２１０、バッテリ１２２０、受信機１２３０、及び回路）のための防水性筐体を提供することができる。内部構成要素がハウジング１２８０内に組み付けられた後、カバー１２８２を、例えば糊付け又はレーザ溶接などによって取り外せないように取り付けることができる。例示される例では、カバー１２８２はカメラの後面１２８９に設けられる。他の例では、カバーを、ベース１２８３又はカメラの側壁１２８７に沿ってなど、他の場所に配置することができる。いくつかの例では、カバー１２８２は、（例えば、バッテリの取り換え及び／又は内部電子装置の保全作業のために）取り外し可能とすることができ、１つ以上のシールを含み得る。
【００３４】
いくつかの例では、ハウジング１２８０は、内部構成要素を周囲環境に光的に及び／又は音響結合するための１つ以上の開口部を含み得る。いくつかの例では、カメラは、カメラ１２００の前面１２８１に第１の開口部１２８４を含み得る。光透過性（又はほぼ光透過性）材料１２８５を、第１の開口部１２８４を渡して設けることができ、このことにより画像取り込みデバイス１２１０用のカメラ窓１２８７を画定する。カメラ窓１２８７を、例えば外側被覆プロセスによってハウジング１２８０とシール式に一体化することができ、この外側被覆プロセスでは、光透過性材料１２８５は、ハウジング１２８０を形成するプラスチック材料で外側被覆される。画像取り込みデバイス１２１０を、そのレンズ１２１４を前方に向けて光透過性材料１２８５を貫通させて、カメラ窓１２８７の後方に位置付けることができる。いくつかの例では、画像取り込みデバイス１２１０の位置合わせ又は配向は、調整可能とすることができる。
【００３５】
第２の開口部１２８６をハウジング１２８０の側壁１２８７に沿って設けることができる。第２の開口部１２８６を、周囲環境にマイクロフォン１２６８を音響結合するように配置することができる。実質的に音響透過性の材料１２８８を第２の開口部１２８６を渡して設けて、マイクロフォンの作動を大きく妨げることなく、（例えばマイクロフォンを水又は破片による汚染又は損傷から保護するために）マイクロフォン保護プラグ１２８９としての役割を果たすことができる。音響透過性材料１２８８を、第２の開口部１２８６からの水侵入を防止又は低減するように構成することができる。例えば、音響透過性材料１２８８は、水不浸透性メッシュを含み得る。メッシュは、水がメッシュを通過することを防止するように選択されたメッシュ密度を有するマイクロメッシュサイズとすることができる。いくつかの例では、メッシュは、疎水性材料を含み得る（例えば、疎水性材料で形成するか又はコーティングする）。
【００３６】
マイクロフォン１２６８を、カメラ１２００の特定の作動を制御するために用いられ得る可聴コマンドなどの音を検出するように構成することができる。いくつかの例では、カメラ１２００を、可聴コマンドに応答して画像を取り込むように構成することができる。いくつかの例では、可聴コマンドは、話し言葉であってよく、又はこれは、歯をカチッと鳴らす音、舌をカチッと鳴らす音、又は舌鼓音などの非音声であってよい。カメラ１２００は、（例えば、可聴音の形態の）可聴コマンドを検出し、画像を取り込む、データを転送するなどの動作を実行することができる。
【００３７】
いくつかの例では、カメラ１２００を、別の電子デバイス、例えばワイヤレス電力伝送システムのベースユニットにデータをワイヤレスで転送するように構成することができる。例えば、カメラ１２００は、画像取り込みデバイスによって取り込まれた画像を、処理及び／又は記憶のために、ベースユニット及び／又は別のコンピューティングデバイス（例えば、パーソナルコンピュータ、ラップトップ、携帯電話、タブレット、又はクラウド記憶装置などの遠隔記憶デバイス）上などの他の場所に転送することができる。カメラ１２００によって取り込まれた画像は、さらに記載されるように、他のコンピューティングデバイスによって処理（例えばバッチ処理）され得る。データを、別個のワイヤレス通信デバイス（例えばワイファイ又はブルーツース対応機種）を介して、又はカメラ１２００の受信機／送信機を介して他の電子デバイス（例えばベースユニット、パーソナルコンピューティングデバイス、クラウド）に転送することができ、カメラ１２００の受信機／送信機を、そのような場合、信号（例えば電力信号）を受信することに加えて信号を送信するように構成することができる。換言すれば、いくつかの例では、受信機１２３０はまた、いくつかの例では、受信機１２３０が送信モードと共に受信モードでも動作可能であるような送信機として構成することもできる。他の例では、別個の送信機（例えば、磁性コア及び導電性巻線を含む別個の送信コイル）もまた、代替的に又は追加的に設けることができる。
【００３８】
カメラ１２００は、ウェアラブルカメラであってよい。この点に関して、カメラ１２００を、アイウェア（例えば図１１に示される）などのウェアラブル物品に取り付けられるように構成することができる。いくつかの例では、カメラをウェアラブル物品に取り外し可能に取り付けることができる。すなわち、カメラは、ウェアラブル物品（例えばアイウェア）に取り付け可能とすることができ、ウェアラブル物品（例えばアイウェア）から取り外し可能とすることができ、ウェアラブル物品に取り付けたままで移動可能になるように構成することができる。いくつかの例では、ウェアラブル物品は、ユーザが着用する任意の物品であってよく、例えば単なる例として、指輪、バンド（例えばアームバンド、リストバンドなど）、ブレスレット、ネックレス、帽子又は他のかぶりもの、ベルト、ハンドバッグストラップ、ホルスタなどであってよい。アイウェアという用語は、限定することなく、めがね、ゴーグルなどの安全及びスポーツアイウェア、又は任意の他のタイプの美的、処方又は安全アイウェアを含む、すべてのタイプのアイウェアを含む。いくつかの例では、カメラ１２００を、例えば、アイウェア上の対応するガイド、例えば図６におけるトラック６と係合するように構成されたガイド１２９０を介して、アイウェアなどのウェアラブル物品に移動可能に取り付けられるように構成することができる。カメラ上のガイド１２９０を、アイウェア上のガイドと摺動可能に係合するように構成することができる。いくつかの例では、アイウェア上のガイドを、アイウェアフレーム上に、例えばアイウェアのテンプル上に設けることができる。カメラ１２００を、アイウェアフレームに取り付け可能とし、取り外し可能とし、再取り付け可能とするように構成することができる。いくつかの例では、ガイド１２９０を、磁力によりカメラ１２００をアイウェアに取り付けるように構成することができる。この点に関して、１つ以上の複数の磁石をガイド１２９０内に埋め込むことができる。ガイド１２９０を、カメラ１２００の（ベース１２８３とも呼ばれる）底面１２８３に沿って設けることができる。ガイド１２９０は、アイウェア上の（雌トラック又は単にトラックとも呼ばれる）溝と協働して枢動嵌合するように構成された突起部（雄レール又は単にレールとも呼ばれる）突起部として実装され得る。１つ以上の磁石を、突起部上に又はベース１２８３に沿って他の場所に設けることができる。アイウェアは、カメラ上の１つ以上の磁石を磁力により引きつけるための金属材料を（例えばアイウェアのテンプルに沿って）含み得る。カメラは、２０１５年８月３日に出願された、「Ｗｅａｒａｂｌｅ  Ｃａｍｅｒａ  Ｓｙｓｔｅｍｓ  ａｎｄ  Ａｐｐａｒａｔｕｓ  ａｎｄ  Ｍｅｔｈｏｄ  ｆｏｒ  Ａｔｔａｃｈｉｎｇ  Ｃａｍｅｒａ  Ｓｙｓｔｅｍｓ  ｏｒ  Ｏｔｈｅｒ  Ｅｌｅｃｔｒｏｎｉｃ  Ｄｅｖｉｃｅ  ｔｏ  Ｗｅａｒａｂｌｅ  Ａｒｔｉｃｌｅ」と題する米国特許出願第１４／８１６，９９５号に記載されている例のいずれかによってアイウェアに連結するように構成することができ、この出願は、あらゆる目的のためにその全体を本願に引用して援用する。
【００３９】
記載されるように、カメラ１２００を、例えばワイヤレス電力システムのベースユニットから電力をワイヤレスで受信するように構成することができる。ワイヤレス電力伝送システムの一例は、さらに図５〜１１を参照して例示され記載される。
【００４０】
図５は、本開示の一部の例による１つ以上の電子デバイスにワイヤレスで電力供給するためのシステムのブロック図を示す。システム１０は、ベースユニット１００と、１つ以上の電子デバイス２００とを含む。ベースユニット１００は、ある距離だけベースユニットから分離され得る電子デバイス２００の１つ以上に電力をワイヤレスで供給するように構成される。ベースユニット１００は、電子デバイスがベースユニット１００の閾値距離（例えば充電範囲又は充電ゾーン１０６）内に留まる間電子デバイス２００に電力をワイヤレスで供給するように構成される。ベースユニット１００を、ベースユニット１００に近接する範囲（例えば充電範囲）内に検出された任意の数の電子デバイス（例えば、１、２、３、４、５、６、７、８、９、又は１０個であるが、いくつかの例では１０以上の数のデバイスが充電されてよい）に選択的に電力をワイヤレスで送信するように構成することができる。電子デバイス２００は、通常、ベースユニット１００から距離を離したまま充電することができる（例えば充電のためにベースユニットに結合することができる）が、電子デバイス２００がベースユニット１００に隣接しているか又は接触しているときに、ベースユニット１００が電子デバイス２００に電力をワイヤレスで供給するように作動できることも、企図され、本開示の範囲内である。
【００４１】
ベースユニット１００は、送信機１１０と、バッテリ１２０と、制御装置１３０とを含む。送信機１１０は、少なくとも１つの送信コイル１１２（交換可能にＴｘコイルと呼ばれる）を含む。送信コイル１１２は、導電性巻線を有する磁性コアを含み得る。巻線は、銅ワイヤ（銅巻線とも呼ばれる）を含み得る。いくつかの例では、銅ワイヤは、モノリシック銅ワイヤ（例えば一本鎖ワイヤ）であってよい。いくつかの例では、銅ワイヤは、複鎖銅ワイヤ（例えばＬｉｔｚワイヤ）であってよく、複鎖銅ワイヤは、いくつかの例では表皮効果によって抵抗性を低減することができ、それによって抵抗損失がより小さくなることができるためより高い送信電力が可能になり得る。いくつかの例では、磁性コアは、フェライトコア（交換可能にフェライト棒と呼ばれる）であってよい。フェライトコアは、中程度の透磁性フェライト、例えばＦａｉｒ−Ｒｉｔｅ  Ｃｏｒｐｏｒａｔｉｏｎによって供給される７８材料を含み得る。いくつかの例では、フェライトコアは、ドイツ国のＶａｃｕｕｍｓｃｈｍｅｌｚｅによって供給されるＶｉｔｒｏｐｅｒｍ  ５００Ｆなどの高透磁性材料を含み得る。他のフェライト材料を含むフェライトコアが、用いられてよい。いくつかの例では、フェライトは、約２３００のマイクロ−ｉ（μ）の中程度の透磁性を有し得る。いくつかの例では、フェライトは、約２００から約５０００の範囲のマイクロ−ｉ（μ）の透磁性を有し得る。いくつかの例では、異なる磁性材料が磁性コアに用いられてよい。通常、本明細書に記載する送信コイルは、磁性コアを利用することができ、この磁性コアは、いくつかの例では、送信コイルによって与えられた磁場を、力線が磁性コアを優先的に通り抜けるように成形することができ、このようにして、部分的に誘導された磁束を用いることができ、ここでは磁束の一部分は、磁性コアによって誘導される。
【００４２】
送信コイル１１２は、電子デバイス２００内の受信コイル２１０と誘導結合するように構成される。いくつかの例では、送信機１１０を、追加的に、受信機として構成することができ、したがって送信機／受信機と交換可能に呼ぶことができる。例えば、送信機／受信機の送信コイルは、追加的に、受信コイルとして構成することができる。いくつかの例では、送信機／受信機は、追加的に受信コイルを含み得る。さらに別の例では、ベースユニットは、受信コイルを備える別個の受信機１４０を含み得る。以下でさらに記載されるように、ベースユニットの送信機／受信機又は別個の受信機を、電力（１０２）及び／又はデータ（１０４）をワイヤレスで受信するように構成することができる。
【００４３】
いくつかの例では、送信機１１０は、単一の送信コイル１１２を含み得る。最適な充電ゾーン１０６を提供するために、送信コイル１１２を最適な場所及び／又は配向に置くことができる。いくつかの例では、送信コイルを、デバイスの一般的な使用中、多くの充電機会を提供するように選択されたベースユニット内の場所に置くことができる。例えば、送信コイル１１２を、最も頻繁に電子デバイスに近づくベースユニットの側面（例えば、図９の例に例示されるような携帯電話ケースとして実装されるベースユニットの頂面）の近くに置くことができる。
【００４４】
いくつかの例では、送信機１１０は、複数の送信コイル１１２を含む。送信コイル１１２は、事実上どのようなパターンで配置されてもよい。例えば、ベースユニットは、互いに対して角度を付けられたコイルの対を含み得る。いくつかの例では、コイルを、９０度より小さい角度で、例えば１５〜７５度の範囲で配置することができる。いくつかの例では、コイルを、互いに対して４５度で配置することができる。他の組み合わせ及び配置を用いることができ、そのいくつかの例が以下でさらに記載される。
【００４５】
いくつかの例では、送信コイルを、ほぼ無指向性の充電ゾーン１０６（充電球体又はホットスポットとも呼ばれる）を提供するように配置することができる。ベースユニットの充電ゾーン１０６を、ベースユニット周りの三次元空間によって画定することができ、この三次元空間は、３つすべての方向（例えばＸ、Ｙ、及びＺ方向）にベースユニットから閾値距離だけ延在する。ベースユニットの充電範囲に対応する三次元（３Ｄ）空間を、本明細書では球体と呼ぶことができるが、充電範囲に対応する三次元（３Ｄ）空間は、厳密に球体形状でなくてよいことが理解されるであろう。いくつかの例では、充電球体は、楕円形又は異なる形状とすることができる。
【００４６】
充電ゾーン１０６内のワイヤレス電力伝送の効率性は、例えば、送信コイル及び受信コイルの特定の組み合わせ及び／又はコイルの特定の配置、又はベースユニット及び電子デバイス内のコイルの相対配置に応じて可変となり得る。１つ以上の送信コイル１１２を、充電ゾーン１０６の無指向性を改良し、及び／又はゾーン１０６内の電力送信の効率性を改良するようにしてベースユニットのハウジング内に配置することができる。いくつかの例では、１つ以上の送信コイル１１２を、ベースユニットの通常の使用中に充電する機会を増大するようにしてハウジング内に配置することができる。例えば、送信コイルは、電子デバイス近くに最も多くもっていかれるベースユニットの１つ以上の側面（例えば、アイウェアカメラ又はデジタル腕時計などのウェアラブル電子デバイスと近接して頻繁に移動され得る携帯電話ケースのベースユニットの頂面又は側面）に沿って少なくとも部分的に延在することができる。いくつかの例では、ベースユニットを通常の使用中に表面（例えばテーブル又は机）上に置くことができ、電子デバイスをベースユニットの周りに置くことができる。そのような例では、送信コイルを、ベースユニットハウジングの周囲に沿って配置することができる。
【００４７】
いくつかの例では、ベースユニットを、接着剤取り付け具、弾性取り付け具、ばねクランプ、吸引カップ、機械的圧力などの取り付け機構を介して携帯電話に取り付けることができる。いくつかの例では、ベースユニットを、全体的に平面形状（例えば矩形プレート）を有することができる筐体（ハウジングとも呼ばれる）内に封入するか、又は埋め込むことができる。ベースユニットを携帯電話、テーブル、又は他の通信デバイスに取り外し可能に取り付けることができるように、取り付け機構をハウジングに連結することができる。一例では、取り付け機構は、単なる例として、矩形プレートの形態のベースユニットに向かって携帯電話を付勢するように構成されたクリップなどの付勢部材であってよい。例えば、クリップをベースユニットの側面に近接して設けることができ、ベースユニットを、紙又はノート／ノートパッドをクリップボードに取り付けるのと同様のやり方で、クリップを介して携帯電話に取り付ける（クリップ留めする）ことができる。いくつかの例では、ベースユニットを通信デバイス及び／又は通信デバイスのケースに接着式に又は弾性的に取り付けることができる。
【００４８】
さらなる例では、ベースユニットは、通信デバイスとは別個のものであってよい。別のさらなる例では、ベースユニットを、通信デバイス内に組み込む（例えば一体化する）ことができる。例えば、送信機１１０を一般的な携帯電話の他の構成要素と一体化することができる。制御装置１３０は、携帯電話内の別個のＩＣであってよく、又はその機能をプロセッサ及び／又は携帯電話の他の回路に組み込むことができる。一般的な携帯電話は、ベースユニットのバッテリ１２０として機能することもできる再充電可能なバッテリを含む。このようにして、携帯電話を、分離された電子ウェアラブルデバイスなどの電子デバイスに電力をワイヤレスで供給するように構成することができる。
【００４９】
すでに指摘されたように、ベースユニット１００はバッテリ１２０を含み得る。バッテリ１２０は、ニッケル水素（ＮｉＭＨ）、リチウムイオン（Ｌｉ−ｉｏｎ）又はリチウムイオンポリマー（Ｌｉ−ｉｏｎ  ポリマー）バッテリなどの再充電可能なバッテリであってよい。ベースユニット１００のバッテリ１２０は、電子デバイス２００のバッテリと比較してより多くのエネルギー容量を含み得る。すなわち、メモリ１２０は、より多くの電力、いくつかの例では、電子デバイスに搭載されたバッテリ（例えば、ウェアラブルカメラ１２００のバッテリ１２２０）よりかなり多くの電力を蓄えることができる。ウェアラブルデバイスであってよい電子デバイスは、ベースユニット１００よりかなり小さいフォームファクタを有することができ、したがって、かなり小さいバッテリを収容することができ得る。（例えば電子デバイスがベースユニットの充電範囲内にあるとき）ベースユニットから電子デバイスへの電力の周期的なワイヤレス伝送は、性能に大きな犠牲を与えることなくウェアラブル電子デバイスに適した小さいフォームファクタを可能にし得る。バッテリ１２０を他の構成要素に結合して電力を受信することができる。例えば、バッテリ１２０をエネルギー発生器１５０に結合することができる。エネルギー発生器１５０は、環境発電デバイスを含むことができ、この環境発電デバイスは、環境発電されたエネルギーを、蓄えるために、また電子デバイスを充電する際に用いるために、バッテリに供給することができる。環境発電デバイスは、運動エネルギー発電デバイス、太陽電池、熱電発電装置、又は無線周波環境発電デバイスを含むことができるが、これらに限定されない。いくつかの例では、バッテリ１２０をユニバーサルシリアルバス（ＵＳＢ）ポートなどの入力／出力コネクタ１８０に接続することができる。本明細書におけるＵＳＢポートという用語は、現在既知の又は今後開発される任意のタイプのＵＳＢインタフェース、例えばミニ及びマイクロＵＳＢタイプのインタフェースを含むことが理解されるであろう。現在既知の又は今後開発される他のタイプのコネクタも、追加的に又は代替的に用いることができる。Ｉ／Ｏコネクタ１８０（例えばＵＳＢポート）を用いて、ベースユニット１００を、外部デバイスに、例えば外部電源又はコンピューティングデバイス（例えばパーソナルコンピュータ、ラップトップ、タブレット又は携帯電話）に接続することができる。
【００５０】
送信機１１０は、バッテリ１２０に動作可能に結合されて、バッテリから選択的に電力を受信し、電子デバイス２００にワイヤレスで電力を送信する。本明細書に記載されるように、いくつかの例では、送信機は、送信機及び受信機の機能を組み合わせることができる。そのような例では、送信機を、外部電源から電力をワイヤレスで受信するように構成することもできる。送信中、電力を送信機によってワイヤレスでブロードキャストし、近接する（例えば送信機のブロードキャストされる距離内）の任意の受信デバイスによって受信することができることが理解されるであろう。
【００５１】
送信機１１０を、いくつかの例では、電子デバイス２００内の受信機に弱く結合することができる。送信機１１０と電子デバイス２００内の受信機の間の密結合は存在しなくてよい。高い共振結合は、密結合と考えることができる。弱い（又は緩い）結合は、（例えば携帯電話内又は携帯電話上のベースユニットからアイウェア上のウェアラブルデバイスまで、又は表面上に置かれたベースユニットからベースユニット上ではなくその近くの表面上に置かれたウェアラブルデバイスまでの）距離にわたる電力送信を可能とし得る。そのため、例えば、送信機１１０を受信機から距離を離すことができる。距離は、いくつかの例では１ｍｍより大きく、いくつかの例では１０ｍｍより大きく、いくつかの例では１００ｍｍより大きく、いくつかの例では１０００ｍｍより大きくなり得る。他の例では他の距離を用いることができ、これらの距離にわたって電力を送信することができる。
【００５２】
送信機１１０及び電子デバイス２００内の受信機は、インダクタンス、静電容量、及び抵抗を各々有するインピーダンス整合回路を含み得る。インピーダンス整合回路は、通常の予想される負荷下において送信機１１０のインピーダンスを受信機のインピーダンスにより良好に整合するように調整するように機能することができるが、本明細書に記載される例では、送信機及び受信機は、異なるサイズ及び／又は他の特性を有する送信コイル及び受信コイルをそれぞれ有するため、受信機及び送信機のインピーダンスを、インピーダンス整合回路によって整合することはできないが、インピーダンス整合回路は、送信機及び受信機のインピーダンスの相違を減じることができる。送信機１１０は、通常、ワイヤレス電力信号を提供することができ、このワイヤレス電力信号は、体に安全な周波数、例えばいくつかの例では５００ｋＨｚ未満、いくつかの例では３００ｋＨｚ未満、いくつかの例では２００ｋＨｚ未満、いくつかの例では１２５ｋＨｚ、いくつかの例では１００ｋＨｚ未満で提供することができるが、他の周波数が用いられてよい。
【００５３】
電力の送信／ブロードキャストは、制御装置が、電力がブロードキャストされているときに制御することから選択的とすることができる。ベースユニットは、バッテリ１２０及び送信機１１０に結合された制御装置１３０を含み得る。制御装置１３０を、さらに記載されるように、送信機１１０に選択的に電力を送信させるように構成することができる。充電器回路をバッテリ１２０に接続してバッテリを過充電から保護することができる。充電器回路は、バッテリ１２０内の充電レベルを監視し、バッテリ１２０が完全に充電されたことをこれが検出したとき、充電を切ることができる。充電器回路の機能を、いくつかの例では、制御装置１３０内に組み込むことができ、又はこれは、別個の回路（例えば別個のＩＣチップ）であってもよい。
【００５４】
いくつかの例では、ベースユニットはメモリ１６０を含み得る。メモリ１６０を、ベースユニット１００に送信されそこから送信されるデータの記憶のために送信機１１０及び／又は任意の追加の送信機及び／又は受信機（例えば受信機１４０）に結合することができる。例えば、ベースユニット１００を、データを電子デバイス２００とワイヤレスでやりとりする、例えばウェアラブルカメラの形態の電子デバイスによって取得された画像を受信する、又は実行可能命令、構成データ若しくは他のデータを電子デバイスに送信することを行うように構成することができる。ベースユニット１００は、電子デバイス２００と比較してより大容量のメモリを含み得る。すなわち、メモリ１６０を、より多くのデータ、いくつかの例では、電子デバイスに搭載されたメモリデバイス（例えばウェアラブルカメラ１２００のメモリ１２４０）よりかなり多くのデータを記憶するように構成することができる。ウェアラブルデバイスであってよい電子デバイスは、ベースユニットよりかなり小さいフォームファクタを有することができ、それにしたがって、かなり小さいメモリデバイスを収容することができ得る。（例えば電子デバイスが、充電中など、ベースユニットの範囲内にあるとき）電子デバイスからベースユニットへのデータの周期的なワイヤレス伝送は、性能に大きな犠牲を与えることなくウェアラブル電子デバイスに適したより小さいフォームファクタを可能にし得る。ベースユニットは、制御装置に動作可能に結合され得る１つ以上のセンサ１７０を含み得る。センサ１７０は、送信機が、制御装置１３０からの制御下で電力を選択的及び／又は調整可能に供給することができるように、ベースユニットの状態を検出することができる。
【００５５】
電子デバイス２００を、例えばカメラ（例えばカメラ１２００）として構成された電子デバイスのように、事実上あらゆる機能を提供するように構成することができる。この点に関して、電子デバイス２００は、ワイヤレス充電に関連付けられた回路構成を含み得る。例えば、電子デバイス２００は、少なくとも１つの受信コイル２１２を含み得る受信部を含み得る。記載されるように、受信コイル２１２を電子デバイス２００に搭載された再充電可能な動力電池に結合することができる。電子デバイスの通常の使用中、ユーザに無侵襲的又は最小侵襲的であるやり方における頻繁な充電は、本明細書における例にしたがって受信コイルと送信コイルの間のワイヤレス結合を介して達成され得る。いくつかの例では、電子デバイスは、電子ウェアラブルデバイス（例えばウェアラブルカメラ）として本明細書では交換可能に呼ばれ得る、ウェアラブル電子デバイスであってよい。電子デバイスは、ユーザがこれを容易に携帯できるほど十分に小さいフォームファクタを有し得る。電子デバイス２００は、ユーザが着用する衣類又はアクセサリ、例えばアイウェアに取り付け可能とすることができる。例えば、電子デバイス２００を、例えば図６に例示されるようなアイウェア内に組み込まれたガイド６（例えばトラック）を用いてアイウェアに取り付けることができる（図を乱雑にしないように、アイウェアの少なくとも一部分だけ、すなわちテンプルのみが例示される）。図６は、本開示による、ワイヤレスで電力を受信するように構成され得る電子デバイス２００の例を示す。いくつかの例では、電子デバイス２００は、いくつかの例ではアイウェアに取り付けられ得る小型化されたカメラシステムであってよい。他の例では、電子デバイスは、アイウェアに取り付けられた任意の他のタイプの電子システム、例えば画像ディスプレイシステム、空気質センサ、ＵＶ／ＨＥＶセンサ、歩数計、夜間照明、ブルーツースヘッドフォンなどのブルーツース対応通信デバイス、補聴器又はオーディオシステムであってよい。いくつかの例では、電子デバイスを、例えば手首周りなどの体の他の場所に着用することができる（例えば、電子時計又は歩数計などの生体測定デバイス）。電子デバイス２００は、例示される特有の例以外の別のタイプの電子デバイスであってよい。電子デバイス２００は、事実上、任意の小型化された電子デバイスであってよく、例えば、限定することなく、カメラ、画像取り込みデバイス、ＩＲカメラ、スチルカメラ、ビデオカメラ、画像センサ、中継器、共振器、センサ、音声増幅器、指向性マイクロフォン、電子コンポーネントを支持するアイウェア、分光器、指向性マイクロフォン、マイクロフォン、カメラシステム、赤外線視覚システム、暗視補助器、夜間照明、照射システム、センサ、歩数計、ワイヤレスセルフォン、携帯電話、ワイヤレス通信システム、プロジェクタ、レーザ、ホログラフィックデバイス、ホログラフィックシステム、ディスプレイ、ワイヤレス機器、ＧＰＳ、データ記憶装置、メモリ記憶装置、電源、スピーカ、転倒検出器、覚醒モニタ、測位、パルス検出、ゲーム、視標追跡、瞳孔監視、アラーム、ＣＯセンサ、ＣＯ検出器、ＣＯ２センサ、ＣＯ２検出器、空気粒子センサ、空気粒子計、ＵＶセンサ、ＵＶ計、ＩＲセンサ、ＩＲ計、熱センサ、温度計測器、不良空気センサ、不良空気モニタ、口臭センサ、口臭モニタ、アルコールセンサ、アルコールモニタ、運動センサ、運動モニタ、温度計、煙センサ、煙検出器、錠剤リマインダ、音声再生デバイス、音声レコーダ、スピーカ、音声増幅デバイス、音声キャンセルデバイス、補聴器、補聴支援デバイス、情報イヤホン、スマートイヤホン、スマート耳掛け式物品、動画再生デバイス、動画レコーダデバイス、画像センサ、転倒検出器、覚醒センサ、覚醒モニタ、情報警告モニタ、ヘルスセンサ、ヘルスモニタ、フィットネスセンサ、フィットネスモニタ、生理機能センサ、生理機能モニタ、ムードセンサ、ムードモニタ、ストレスモニタ、歩数計、運動検出器、測位、パルス検出、ワイヤレス通信デバイス、ゲームデバイス、電子コンポーネントを備えるアイウェア、拡張現実システム、仮想現実システム、視標追跡デバイス、瞳孔センサ、瞳孔モニタ、自動リマインダ、照明、アラーム、セルフォンデバイス、電話機、携帯通信デバイス、不良空気品質警告デバイス、睡眠検出器、眠気検出器、アルコール検出器、温度計、屈折誤差測定デバイス、波面測定デバイス、収差計、ＧＰＳシステム、煙検出器、錠剤リマインダ、スピーカ、運動エネルギー源、マイクロフォン、プロジェクタ、仮想キーボード、顔認識デバイス、声認識デバイス、音声認識システム、放射能検出器、放射線検出器、ラドン検出器、水分検出器、湿度検出器、大気圧表示器、音量表示器、ノイズ表示器、音響センサ、レンジファインダー、レーザシステム、トポグラフィセンサ、モータ、マイクロモータ、ナノモータ、スイッチ、バッテリ、ダイナモ、熱出力源、燃料セル、太陽電池、運動エネルギー源、熱電気出力源、スマートバンド、スマートウォッチ、スマートイヤリング、スマートネックレス、スマートクロージング、スマートベルト、スマートリング、スマートブラ、スマートシューズ、スマートフットウェア、スマートグローブ、スマートハット、スマートヘッドホン、スマートアイウェア、及び他のそのようなスマートデバイスであってよい。いくつかの例では、電子デバイス２００はスマートデバイスであってよい。いくつかの例では、電子デバイス２００は、マイクロウェアラブルデバイス又は埋め込み式デバイスであってよい。
【００５６】
電子デバイス２００は、ベースユニット１００の送信機（例えばＴｘコイル１１２）に誘導結合するように構成された受信機（例えばＲｘコイル２１２）を含み得る。受信機を、電子デバイス、したがって受信機がベースユニットに近接するとき（例えば、電子デバイスがベースユニットから所定距離にある、又は充電範囲内にあるとき）ベースユニットから電力を自動的に受信するように構成することができる。電子デバイス２００は、電子デバイスに搭載された動力電池内に余分の電力を蓄えることができる。電子デバイスに搭載された動力電池は、ベースユニットのバッテリよりかなり小さくなり得る。動力電池の頻繁な再充電は、通常の使用中、電子デバイスがベースユニットに頻繁に近接することによってもたらされ得る。例えば、アイウェアに連結されたウェアラブル電子デバイス及びセルフォンケースの形態のベースユニットの場合、通常の使用中、セルフォンを、電話をかけるためにユーザの頭部に頻繁に近接させることができ、この電話の間、ウェアラブル電子デバイスに搭載された動力電池の再充電を達成することができる。ウェアラブル電子デバイスが、リストバンド又はアームバンドに連結された電子時計又は生体センサを備えるいくつかの例では、ユーザが自身のセルフォンを手に取り、セルフォンケースの形態のベースユニットがウェアラブル電子デバイスに近接することによってウェアラブル電子デバイスを頻繁に再充電することができる。いくつかの例では、電子デバイスは、環境発電システムを含み得る。
【００５７】
いくつかの例では、電子デバイス２００は、バッテリを含まなくてよく、その代わりにベースユニット１００から受信されたワイヤレス電力によって直接的に電力供給され得る。いくつかの例では、電子デバイス２００は、Ｒｘコイル２１２に動作可能に結合されたコンデンサ（例えばスーパコンデンサ又はウルトラコンデンサ）を含み得る。
【００５８】
通常、ワイヤレス電力伝送を適用する既存のシステムでは、送信コイル及び受信コイルは、同じ、又はほぼ同じコイル比を有し得る。しかし、本開示による小型化された電子デバイスのフォームファクタがより小さい場合、そのような実施は実用的ではない場合がある。本明細書のいくつかの例では、受信コイルは、例えば図７に例示されるように、送信コイルよりかなり小さくなり得る。いくつかの例では、Ｔｘコイル１１２は、Ｒｘコイル２１２のそれぞれの寸法（例えば、巻線２１６を形成するワイヤの長さ、コイル２１２の直径、巻線２１６の数、コア２１７の長さ、コア２１７の表面積）より大きい、例えば２倍以上大きい寸法（例えば、巻線１１６を形成するワイヤの長さ、巻線１１６を形成するワイヤの直径、コイル１１２の直径、巻線１１６の数、コア１１７の長さ、コア１１７の直径、コア１１７の表面積）を有し得る。いくつかの例では、Ｔｘコイル１１２の寸法は、Ｒｘコイル２１２のそれぞれの寸法より２倍以上大きく、５倍以上大きく、１０倍以上大きく、２０倍以上大きく、又は５０倍以上大きくなり得る。いくつかの例では、Ｔｘコイル１１２の寸法は、Ｒｘコイル２１２のそれぞれの寸法の最大１００倍までとすることができる。例えば、受信コイル２１２（Ｒｘコイル）は、約０．２ｍｍのワイヤ直径を有する導電性ワイヤを備え得る。ワイヤは一本鎖ワイヤであってよい。この例のＲｘコイルは、約２．４ｍｍの直径及び約１３ｍｍの長さを有し得る。Ｒｘコイルは、約１．５ｍｍの直径及び約１５ｍｍの長さを有するフェライト棒を含み得る。Ｒｘコイルの巻線の数は、単なる例として、約１３０の巻線であってよい。送信コイル１１２（Ｔｘコイル）は、約１．７ｍｍのワイヤ直径を有する導電性ワイヤを備え得る。ワイヤは複鎖ワイヤであってよい。この例のＴｘコイルは、約１４．５ｍｍの直径及び約６７ｍｍの長さを有し得る。Ｔｘコイルは、約８ｍｍの直径及び約６８ｍｍの長さを有するフェライト棒を含み得る。凡そ７４の巻線がＴｘコイルに用いられてよい。例えば他の例では、他の組み合わせをＴｘ及びＲｘコイルに用いて、約３０ｃｍ以上を超える距離であっても電力伝送効率を最適化することができる。いくつかの例では、伝送距離は１２インチ（３０．４８ｃｍ）を超えることができる。本明細書におけるいくつかの例では、Ｔｘ及びＲｘコイルは、従来のワイヤレス電力伝送システムで一般的であるようなインピーダンス整合は行われなくてよい。したがって、いくつかの例では、ベースユニット及び電子デバイスそれぞれのＴｘコイル及びＲｘコイルは、緩く結合されると言うことができる。いくつかの例によれば、ベースユニットは、低いＱ係数のワイヤレス電力伝送に合わせて構成される。例えば、ベースユニットを、いくつかの例では５００未満、いくつかの例では２５０未満、いくつかの例では１００未満、いくつかの例では８０未満、いくつかの例では６０未満のＱ係数におけるワイヤレス電力伝送に合わせて構成することができ、他のＱ係数が用いられてよい。インピーダンス整合は必要とされないが、コイルが少なくとも部分的にインピーダンス整合される例もまた企図され、本開示の範囲内に含まれる。本明細書に記載されるワイヤレス電力伝送システム内のＴｘコイル及びＲｘコイルを、通常、緩く結合することができるが、本開示は、Ｔｘコイル及びＲｘコイルがインピーダンス整合される例を排除しない。
【００５９】
受信コイル（例えばＲｘコイル２１２）は、導電性巻線、例えば銅巻線を含み得る。銅以外の導電性材料が用いられてよい。いくつかの例では、巻線は、モノリシック（一本鎖）又は複鎖ワイヤを含み得る。いくつかの例では、コアは、フェライトなどの磁性材料を含む磁性コアであってよい。コアを棒の形態で成形することができる。Ｒｘコイルは、Ｔｘコイルの寸法より小さい寸法を有することができ、例えば、コア（例えば棒）の直径、長さ、表面積、及び／又は質量は、Ｔｘコイルのコア（例えば棒）の直径、長さ、表面積及び／又は質量より小さくなり得る。いくつかの例では、Ｔｘコイルの磁性コア（例えばフェライト棒）は、Ｒｘコイルの磁性コア（例えばフェライト棒）の表面積の２倍以上である表面積を有し得る。いくつかの例では、Ｔｘコイルは、巻き出されたとき、Ｒｘコイルの巻線のワイヤの数又は長さより多い数の巻線及び／又は巻線内のより長い長さのワイヤを含み得る。いくつかの例では、Ｔｘコイルの巻き出されたワイヤの長さは、Ｒｘコイルの巻き出されたワイヤの長さの少なくとも２倍とすることができる。
【００６０】
いくつかの例では、Ｒｘコイル２１２は、約１０ｍｍから約９０ｍｍまでの長さと、約１ｍｍから約１５ｍｍまでの半径とを有し得る。１つの例では、２０ｍｍの長さ及び２．５ｍｍの直径のフェライド棒を有し、その上に１５０の導電性巻線が巻き付けられたＲｘコイル２１２の性能を、約１２５ＫＨｚの周波数において電力をブロードキャストするように構成されたＴｘコイル１１２によってシミュレーションした。Ｔｘコイル１１２は、約６７．５ｍｍの長さ及び約１２ｍｍの直径を有するフェライト棒を含んだ。最大２００ｍｍのコイル間距離において位置合わせされた配向において、最大２０％の送信効率を得た。コイルが平行配向に配置されたときに性能においていくつかの改善が観察され、この場合Ｒｘコイルは、約３００ｍｍの距離まで送信された電力を受信し続けた。本開示によるワイヤレスエネルギー伝送システムの例を、Ｑｉ１．０規格にしたがって構成されたシステムによって達成可能な効率性と比較した。１つのシミュレーションされたシステム内のＴｘコイルのサイズは、５２ｍｍ×５２ｍｍ×５．６ｍｍであり、シミュレーションされた１つのＲｘコイルのサイズは、４８．２ｍｍ×３２．２ｍｍ×１．１ｍｍであり、負荷インピーダンスは１ＫＯｈｍであった。
【００６１】
次に、図８〜９も参照すれば、図９Ａ及び９Ｂに示されるような携帯電話ケースのフォームファクタに組み込まれ得るベースユニット３００が、記載される。ベースユニット３００は、図５を参照して上記で記載されたベースユニット１００の構成要素のいくつか又はすべてを含み得る。例えば、ベースユニット３００は、（Ｔｘコイルとも呼ばれる）送信コイル３１２を含み得る。送信コイル３１２は、電子装置パッケージ３０５に結合され、この電子装置パッケージは、ワイヤレス電力を１つ以上の電子デバイスに選択的及び／又は調整可能に供給することを含む、本開示によるベースユニットの機能を実行するように構成された回路構成を含む。いくつかの例では、電子デバイスは、ベースユニットから分離された電子デバイス（例えばカメラ１２００）であってよい。いくつかの例では、電子デバイスは、ケースの形態のベースユニット３００が取り付けられた携帯電話２０であってよい。
【００６２】
ベースユニット３００は、ベースユニットに近接して置かれた、又はベースユニットに近接するようになる（例えば充電球体内の）電子デバイスをワイヤレスで充電するための可動式ワイヤレスホットスポット（例えば充電球体１０６）を提供することができる。了解されるように、携帯電話ケースの形態で実装された場合のベースユニット３００を、携帯電話に取り付け、ユーザが運ぶことができ、したがってワイヤレス電力のホットスポットを可動式にし、ユーザがどこに行っても電子デバイスが利用できるようにする。例では、ベースユニットは、携帯電話と一体化されてよい。ワイヤレス電力のホットスポットは、ユーザが頻繁に又は常時持ち歩くユーザの携帯電話に接続されることによってこうしてユーザと共に移動することが有利である。さらに了解されるように、ユーザが着用する電子デバイス上の動力電池を再充電する機会は、使用のためにウェアラブルデバイス（例えば、ユーザが電話をかける場合のアィウエアデバイス、及びユーザが閲覧する、又は携帯電話の他の機能を用いる場合の手首着用デバイス）の近傍に頻繁にもっていくことができる携帯電話の通常の使用中、頻繁にある。
【００６３】
Ｔｘコイル３１２及び電子装置（例えば電子装置パッケージ３０５）は、ハウジング３１５内に封入され得る。ハウジング３１５は、携帯可能なフォームファクタを有し得る。この例では、ハウジングは、携帯電話（例えば、携帯電話、セルラーフォン、スマートフォン、送受信兼用ワイヤレス機、トランシーバなど）、タブレットなどの通信デバイスに取り付けられるように構成された取り付け部材の形態で実装される。この点に関して、ベースユニットのハウジング３１５は、携帯電話／タブレットケース又はカバーとして実装され得る。ハウジング３１５は、通信デバイス（例えば携帯電話２０）と機械的に係合するための特徴を含み得る。さらなる例では、ベースユニットのハウジングは、ハンドバッグ、ベルトなどのアクセサリに取り付けられるように適合された取り付け部材として実装され得る。他のフォームファクタが用いられてよい。ベースユニット３００は、これが接続される通信デバイス以外の電子デバイス、例えばカメラ１２００に電力供給することができる。
【００６４】
図８及び９の例では、ベースユニット３００は、送信コイル３１２を含む。送信コイル３１２は、導電性巻線３１６を備えた磁性コア３１７を含む。コア３１７は、集約的に本明細書では磁性材料と称される、強磁性材料（例えばフェライト）、磁性金属、又はこれらの合金若しくは組み合わせで作製できる。例えば、フェライトならびにイオン及びニッケルの様々な合金などの磁性材料が用いられてよい。コイル３１２は、コア３１７の周りに設けられた導電性巻線３１６を含む。この開示の文脈において、巻線３１６をコア３１７上に直接設けることができるが、そうである必要がないことが理解されるであろう。換言すれば、巻線３１６を、巻線３１６によって画定された空間内に置かれ得るコア材料から離間することができる。いくつかの例では、巻線がこの例のようにコア上に直接的に巻き付けられることによって、改善された性能を達成することができる。
【００６５】
コア３１７は、細長い部材として成形されてよく、事実上、任意の断面、例えば矩形又は円形の断面を有し得る。細長いコアは、棒３１４、例えば円筒形又は矩形棒と交換可能に呼ばれ得る。棒という用語は、コアの特定の断面形状に関係無く、本出願による細長いコアを指すために用いられてよい。コアは、単一の棒又は記載されるようなパターンで配置された任意の数の個別の棒（例えば２、３、４、５、６、７、８、９、１０、又は１０以上の任意の他の数）を含み得る。図８及び９の例では、限定することなく、送信コイルは、ハウジング３１５の第１の側面（例えば頂面３２１）に沿って少なくとも部分的に位置付けられた単一の円筒形棒を備える。他の例では、１つ以上のコイルは、代替的に又は追加的には、他の側面に沿って、例えばハウジング３１５の底面３２３、左側面３２５、及び／又は右側面３２７に沿って位置付けられ得る。
【００６６】
電子装置パッケージ３０５（電子装置又は回路構成と交換可能に呼ばれる）を、ハウジング３１５内に埋め込むか、又はカバー３０７内に設けることができる。いくつかの例では、カバー３０７は、取り外し可能とすることができる。いくつかの例では、バッテリ３２０を取り換えることが有利となり得る。そのような例では、バッテリ３２０は、残りの回路構成から分離可能な構成要素とすることができる。バッテリ３２０は、カバー３０７を取り外すことによってアクセスすることができる。いくつかの例では、電子装置パッケージ３０５は、外部電源からのエネルギーを蓄えるためのバッテリを含み得る。いくつかの例では、ベースユニット３００は、代替的に又は追加的に、距離を離した電子デバイスに電力供給するときに携帯電話から電力を受信することができる。いくつかの例では、ベースユニットは、バッテリを必要としなくてよく、こうして、さらにより小さいフォームファクタを達成することができる。
【００６７】
ベースユニットには、１つ以上のＩ／Ｏデバイス３８０を設けることができる。Ｉ／Ｏデバイスは、ベースユニットと別のデバイスとの間の有線接続を介して電力及び／又はデータを受信し及び／又は送信するために用いられ得る。例えば、ベースユニットは、ＵＳＢコネクタの形態のＩ／Ｏデバイス３８０を含み得る。Ｉ／Ｏデバイス３８０（例えばＵＳＢコネクタ）は、ベースユニットを外部デバイス（例えば、配電網などの電源及び／又は別の電子デバイス）に結合するための第１の接続側面３８２（例えば雌ポート）を含み得る。Ｉ／Ｏデバイス３８０は、ベースユニットを携帯電話に、例えば携帯電話のＵＳＢポートを介して結合するための第２の接続側面３８４（例えば雄型コネクタ）を含み得る。Ｉ／Ｏデバイスの信号線３８５の１つ以上を、ベースユニット回路構成内の電力、接地及び／又はデータ線に結合することができる。例えば、５本線を有するＵＳＢコネクタが用いられる場合、２本の線をデータに用いることができ、２本の線を電力に用いることができ、１本の線を接地するか、又は冗長性のために用いることができる。第１及び第２の接続側面の信号線３８５を、コネクタ回路３８６（例えばＵＳＢチップ）を介してベースユニット回路構成に結合することができる。任意の他のタイプのコネクタ、例えば限定することなく、ＡＰＰＬＥライトニングコネクタを用いることができることが理解されるであろう。
【００６８】
ベースユニット３００は、制御装置３３０を含み得る。制御装置３３０は、ベースユニット３００の作動を制御するための、例えば近接する電子デバイス（例えばカメラ１２００）の検出、電子装置デバイスの検出時のワイヤレス電力の選択的送信、ベースユニットの状態の決定、及びベースユニットの状態に応じた送信モードの選択を制御するための機能を含み得る。これらの機能を、コンピュータ可読媒体として実装することができ、又はＡＳＩＣ若しくは他の処理ハードウェアに有線接続することができる。制御装置３３０は、ベースユニットプロセッサと交換可能に呼ばれ得る。
【００６９】
ベースユニットは、１つ以上のメモリデバイス３６０を含み得る。ベースユニットは、揮発性メモリ３６２（例えばＲＡＭ）及び非揮発性メモリ３６４（例えば、ＥＥＰＲＯＭ，フラッシュ又は他の持続性電子記憶装置）を含み得る。ベースユニットは、外部電子デバイスとの有線又はワイヤレス接続によってデータ（例えばユーザデータ、構成データ）を受信するように構成されてよく、データをベースユニット（例えば、メモリデバイス３６０の１つ以上内）に搭載して記憶することができる。ベースユニットを、ベースユニットに搭載されて記憶されたデータを所望の場合に外部の電子デバイスに送信するように構成することができる。ユーザデータに加えて、メモリデバイスは、プロセッサ（例えばプロセッサ３６０）によって実行されたとき、本明細書に記載される機能をベースユニットに実行させる実行可能命令を記憶することができる。
【００７０】
ベースユニット３００は、バッテリ３２０を過充電から保護するように構成され得る充電器回路３３２を含み得る。充電器回路は、別個のチップであってよく、又は制御装置３３０内に一体化されてよい。ベースユニットは、ワイヤレス電力送信に用いられるＴｘコイル３１２に加えて別個の送信機／受信機回路構成３４０を含み得る。送信機／受信機回路構成３４０は、受信／送信コイル３４２、例えばＲＦコイルを含み得る。送信機／受信機回路構成３４０は、送信のためのドライバ回路構成３４４（例えばＲＦドライバ回路）と、信号の受信のための感知回路構成３４６（例えばＲＦ感知回路）とをさらに含み得る。ベースユニット３００は、ワイヤレス通信のための追加の回路構成（例えば通信回路３８８）を含み得る。通信回路３８８は、ブルーツース又はワイファイ通信に合わせて構成された回路を含み得る。いくつかの例では、ベースユニット３００は、本明細書に記載されるように、１つ以上のセンサ３７０及び／又は１つ以上のエネルギー発生器３５０を含み得る。追加の機能を提供する追加の回路構成を含むことができる。例えば、ベースユニット３００は、ウェアラブルカメラ（例えばアイウェアカメラ）から受信された画像の処理及び／又は補正のための画像プロセッサを含み得る。画像処理機能を別個のＩＣ（例えばＤａ  Ｖｉｎｃｉチップセット）内に設けるか、又はこれを、制御装置３００の機能を実施するプロセッサ内に組み込むことができる。
【００７１】
いくつかの例では、ハウジングを、携帯電話などの通信デバイスに機械的に連結されるように構成することができる。例えば、ハウジング３１５を、携帯電話ケースの機能をもたらすように構成することができる。ハウジング３１５は、通信デバイス（例えば携帯電話）の形状に対応する形状を有し得る。例えば、ハウジング３１５は、概ね矩形の形状とすることができ、通信デバイスを少なくとも部分的に受容し、又は少なくとも部分的に封入するようなサイズとすることができる。いくつかの例では、ハウジング３１５を、通信デバイスの１つの側面だけを覆うように構成することができる。いくつかの例では、ハウジング３１５は、通信デバイスの２つ以上の側面を少なくとも部分的に覆うことができる。ハウジング３１５は、携帯電話を少なくとも部分的にその内部に受容する及び／又は保持するように構成されたレセプタクル３０９を含み得る。レセプタクル３０９は、ハウジング３１５の前面にあってよい。ベースユニット電子装置をレセプタクルの反対側に近接して設けることができる。コイルを、ハウジングの周囲周りに、例えば上面、底面、又は左側面又は右側面の任意の場所に沿って置くことができる。
【００７２】
いくつかの例では、送信機は、複数の個別のＴｘコイル（例えば２、３、４、５、６、７、８、９又は１０個のコイル）を含み、各々は、磁性コアを有し、その上に導電性巻線が巻き付けられる。Ｔｘコイルの少なくともいくつかは、互いに角度を付けることができ、例えば互いに対して２０度以上、３０度以上、４５度以上、７５度以上とすることができる。いくつかの例では、Ｔｘコイルは、互いに対して概ね垂直であり得る。いくつかの例では、２つ以上のＴｘコイルは、互いに対して概ね平行であり得る。いくつかの例では、２つ以上のＴｘコイルをハウジングの同じ縁に沿って配設することができる。Ｔｘコイルの直径θは、約５ｍｍから約２０ｍｍの範囲とすることができる。いくつかの例では、Ｔｘコイルの直径θは、８ｍｍから１５ｍｍの間とすることができる。いくつかの例では、Ｔｘコイルの直径θは、９ｍｍ、１０ｍｍ、１１ｍｍ、１２ｍｍ、１３ｍｍ、又は１４ｍｍとすることができる。コイルに対して異なる直径が用いられてよい。いくつかの例では、磁性コアは、磁性材料から作製された細長い円筒形棒であってよい。いくつかの例では、棒をベースユニットのハウジングの周囲回りに配置することができる。いくつかの例では、棒は、ハウジングの上側、底面、左側面及び／又は右側面の全長に沿って実質的に延在することができる。ハウジングの長さ（ｌ）、幅（ｗ）、及び厚さ（ｔ）は、ハウジングが取り付けられるように構成された通信デバイスの寸法に応じて変動し得る。いくつかの例では、ハウジングは、それぞれ約１５０〜１８０ｍｍ、８０〜９５ｍｍ、及び１５〜２５ｍｍの範囲とすることができる。他の長さ、幅、及び厚さが、例えば、所定の通信デバイス（例えばスマートフォン）を収容し、及び／又は特定のコイルサイズを収容するために用いられてよい。いくつかの例では、ハウジングを、ｉＰｈｏｎｅ（登録商標）ブランド携帯電話又はＳＡＭＳＵＮＧブランド携帯電話に取り付けるように構成することができる。例えば、ｉＰｈｏｎｅ６携帯電話に取り付けるように構成されたハウジングは、約１６０ｍｍの長さ、約８４ｍｍの幅、及び約１９ｍｍの厚さとすることができ、約９ｍｍの直径を有するＴｘコイルを収容することができる。別の例では、ハウジングは、約１６５ｍｍの長さ、約９４ｍｍの幅、及び約２１ｍｍの厚さを有して、約１４ｍｍの直径を有するコイルを収容することができる。いくつかの例では、ハウジングを、ｉＰａｄ（登録商標）ブランドテーブル又はＳＡＭＳＵＮＧブランドタブレットに取り付けるように構成することができる。いくつかの例では、ハウジングを、通信デバイスの１つ、２つ、３つ、及び／又はすべて又は周囲の側面に係合するように構成することができる。いくつかの例では、ベースユニットハウジングを、通信デバイスの通信デバイス主要側面（例えばディスプレイ面又は後面）の１つ以上を覆う又は部分的に覆うように構成することができる。
【００７３】
図１０は、本開示によるプロセスの流れ図を示す。プロセス１０００は、ブロック１００５に示すように、ベースユニット（例えばベースユニット１００）をカメラ（例えばカメラ１２００）に近接して置くステップを含み得る。カメラは、例えば、図１１に例示されるように、アイウェア４上のトラックと係合するカメラ上のガイドを介してアイウェア４に取り付けられ得るウェアラブルカメラであってよい。ベースユニット（例えばベースユニット１００）を、携帯電話などの通信デバイスに取り付けることができる。ベースユニットは、ウェアラブルカメラにワイヤレスで電力を送信するためにカメラ内の受信コイルと誘導結合するように構成された送信コイルを含み得る。プロセス１０００は、さらに、ベースユニットによってウェアラブルカメラを検出するステップを含み得る。例えば、ベースユニットは、ブロック１０１０に示すようにカメラの近接信号を検出することができる。いくつかの例では、ベースユニットは、代替的に又は追加的に、ブロック１０１０にさらに示されるように、カメラの充電状態信号を検出することができる。充電状態信号は、カメラの動力電池（例えばカメラ１２００のバッテリ１２２０）の充電状態を示すことができる。プロセス１０００はまた、ブロック１０１５に示すように、電力をベースユニットからカメラにワイヤレスで送信するステップも含み得る。電力のワイヤレス伝送は、カメラがベースユニットの充電範囲内に留まる間（例えば検出された近接信号に基づいて）、又はカメラの充電状態信号がカメラの完全に充電された状態に対応するまで、続くことができる。いくつかの例では、ベースユニットを、電子デバイスの充電状態が、電子デバイス搭載バッテリの完全充電に満たないと示すときのみ、ワイヤレス電力をブロードキャストするように構成することができる。この目的のために、ベースユニットは、ブロック１０２０に示されるように、カメラの近接性及び／又は充電状態を監視することができる。
【００７４】
いくつかの例では、カメラを、選択的に電力を受信するように構成することができる。換言すれば、ワイヤレス電力充電に関連する回路構成を、適切に調整されたワイヤレス電力送信機の近接性指示に応答して選択的に起動することができる。ベースユニットを、電力をブロードキャストするように構成することができ、カメラを、体に安全なレベルでブロードキャストされた電力を受信するように構成することができる。ベースユニットを、電力をブロードキャストするように構成することができ、カメラを、５０ｋＨｚ又は５００ｋＨｚ範囲内の周波数でブロードキャストされた電力を受信するように構成することができる。カメラは、ベースユニットによって検出され得る信号（例えば近接性信号、充電状態信号）をブロードキャストすることができる。近接するカメラを検出したとき、ベースユニットは、電力信号をブロードキャストし始めることができ、カメラは、ワイヤレス電力の受信に関連する回路構成（例えばカメラの充電回路）を起動することができる。いくつかの例では、カメラは、ベースユニットからの問い合わせ信号に応答して信号（例えば、近接性信号、充電状態信号）をブロードキャストすることができ、ベースユニットは、カメラからブロードキャストされた信号を自動的に検出することができ、及び／又はカメラからの信号を検出したとき、電力送信を自動的に開始することができる。
【００７５】
いくつかの例では、プロセス１０００は、ブロック１０２５に示されるように、カメラによって画像を取り込み、及び／又はデータ（例えば画像）をワイヤレスに転送するステップを含み得る。画像を、（例えばカメラ上のトリガボタンを介して）手動のユーザ入力に応答して生成され得るコマンドに応答して取り込むことができる。いくつかの例では、画像を、カメラによって検出された可聴コマンドに応答して制御装置によって生成されたコマンドに応答して取り込むことができる。例えば、カメラは、ボイスコマンド、若しくは他の音声又は非音声音（ユーザの歯をカチッと鳴らす音）を含み得る可聴コマンドを検出するように構成されたマイクロフォン（例えばマイクロフォン１２６８）を含み得る。カメラを、例えばブロック１０３０に示されるように、ワイヤレス電力を受信する間画像を取り込むように構成することができる。取り込まれた画像を、カメラに搭載して（例えばメモリ１２４０内に）記憶することができ、又はベースユニット若しくはコンピュータシステム１４１０などの別の電子デバイスに転送することができる。画像若しくは他のデータを、カメラからベースユニット、若しくは別のコンピューティングデバイス（例えば図１４におけるコンピュータシステム１４１０）に自動的に又はユーザ入力に応答してワイヤレスで転送することができる。この目的のために、カメラは、ワイヤレス通信デバイス（例えばワイファイ、ブルーツースなど）を含み得る。いくつかの例では、カメラのワイヤレス受信機（例えば受信機１２３０）を、データ（例えば画像）をカメラからベースユニット又は別のコンピューティングデバイスに送信するように動作可能な送信機として構成することもできる。
【００７６】
次に図１２〜１３も参照すれば、本開示によるカメラの追加の特徴が記載される。記載されるように、カメラ１２００’、１２００’’は、ウェアラブルカメラであってよく、ガイド１２９０を含み得る。ガイド１２９０は、カメラをアイウェアに磁力により取り付けるための１つ以上の磁石１２９２を含み得る。１つ以上の磁石をガイド１２９０内に埋め込むことができる。ガイド１２９０を、カメラ１２００’、１２００’’の底面１２８３（ベース１２８３とも呼ばれる）に沿って設けることができる。ガイド１２９０は、アイウエア上（雌トラック又は単にトラックとも呼ばれる）溝と協働して摺動嵌合するように構成された突起部（雄レール又は単にレールとも呼ばれる）として実装され得る。１つ以上の磁石を、突起部又はベース１２８３に沿った他の場所に設けることができる。例では、磁石を、ガイドの底部表面の下方に位置付けることができる。いくつかの例では、磁石は、ガイドの底部表面と実質的に同一平面とすることができる。コーティング又は保護層を磁石の接触表面上に設けて、ガイドがアイウェアの外部／美的表面を傷付けることを防止することができ、そうでなければ、これは、カメラガイドとアイウェアガイドの間の摺動可能な係合の結果起こり得る。
【００７７】
カメラ１２００’は、１つ以上のユーザ制御装置１２９４を含み得る。ユーザ制御装置１２９４は、ボタン、スイッチなどの形態で実装され得る。カメラの防水特性を維持するために、いくつかの例では、そのようなボタン又はスイッチを、ハウジングの可撓性部分の下方に設けることができる。すなわちハウジング１２８０の１つ以上の部分を、ハウジングのその部分が可撓性部分の下方に配置されたボタンを作動させるために偏向することができるように、ゴム、シリコンなどの弾性材料で形成することができる。いくつかの例では、ユーザ制御装置１２９４は、１つ以上の静電容量表面を用いて実装され得る。例えば、平滑又は凹凸のある表面を含み得る静電容量スイッチ１２９５を、カメラの側壁に沿って設けることができる。静電容量表面を、ハウジングと共に成形して一体的な耐水ユーザ制御装置を提供することができる。静電容量スイッチ１２９５は、画像を取り込むためのトリガとして機能することができる。いくつかの例では、同じユーザ制御装置（例えば、静電容量スイッチ１２９５）を、ユーザ制御装置の操作に応じて異なる機能を実行するように構成することができる。例えば、ユーザ制御装置を介した単一の入力（例えば単一のタッチ又はクリック）は、１つの機能（例えば画像を取り込む）に対応することができ、二回入力（例えば２回の連続するタッチ又は２回のクリック）は、別の機能（例えば画像転送を開始する）に対応することができ、連続入力（例えばタッチ／クリック及びホールド）は、さらに別の機能（例えば、カメラの設定又はパラメータを構成する、カメラの電源をオンオフにする）に対応することができる。ユーザ制御装置の操作の機能又はタイプのこれらの特有の例は、例示的にすぎず、ユーザ制御装置の機能及び／又は操作の他の組み合わせを用いることができる。
【００７８】
ユーザ制御装置を、ハウジングの１つ以上の側面に沿って、例えば図１２に示されるように側壁に沿って、又は図１３に示されるように後壁に沿って設けることができる。カメラはまた、１つ以上の固定特徴も含み得る。カメラを、アイウェアに連結され得る固定リングと係合するように構成することができる。磁性取り付け具が機能しなくなった場合でもカメラがアイウェアに連結されたままであることを確実にするために、固定リングを、追加の取り付け手段を提供するように構成することができる。固定リングは、透明なプラスチック材料（例えば、透明ゴム又はシリコン）から作製することができ、０．０１ｍｍから約２ｍｍの間の範囲であるコアの直径を有し得る。カメラは、固定リングと係合するための図１２に示されるような固定ピン又は図１３に示されるような固定開口の形態であってよい固定特徴を含み得る。図１３の例では、固定開口を、開口の直径の平面がカメラの後壁及び／又はベースに概ね垂直であるように配置することができる。いくつかの例では、開口の直径の平面は、ガイド１２９０の長手方向と概ね平行であり得る。
【００７９】
カメラは、１つ以上の指示器１２９６を含み得る。指示器１２９６を、カメラ１２００’、１２００”の１つ以上の側面に沿って、例えば図１２の例のようにカメラの頂面に沿って、又は図１３のようにカメラの後面上に設けることができる。指示器は、１つ以上の白又は色付けされたＬＥＤの形態で実装されてよく、照明の色、持続時間又はパターンに基づいて、カメラ又はその構成要素の異なる機能又は状態に関する指示を提供することができる。指示器は、充電状態指示器、電源オン／オフ指示器、プライバシー指示器などを含み得る。例えば、プライバシー指示器は、画像（例えば静止画像又は動画）が取り込まれているときに照明することができる１つ以上のＬＥＤを備え得る。照明は、画像が取り込まれていることを知らせることができる。いくつかの例では、可聴的、振動的、又は他の触覚的フィードバックを１つ以上の指示器に用いることができる。いくつかの例では、カメラを、可聴フィードバック音をユーザに提供するように構成することができる。例えば、カメラは、振動源、スピーカ、ブザー、又は他の音声生成デバイスを含むことができ、指示を触覚又は可聴手段によって提供することができる。
【００８０】
いくつかの例では、カメラはビューファインダ無しとすることができる。市販されているカメラは、一般的に、ビューファインダを含み、このビューファインダは、デジタルカメラの場合、一般的にディスプレイの形態である。ビューファインダは、ユーザが、画像センサによって取り込まれる画像を視覚化することを可能にし、このことにより、所望の画像を取り込むためにカメラを向ける方向を調整する機会をユーザに与える。しかし、ビューファインダは、デジタルカメラの場合、ビューファインダを提供するために追加のディスプレイデバイスを追加する必要があるため、カメラの全体サイズを大きく増大させる。そのようなサイズの増大は、例えば本開示によるウェアラブル又は他の小さい若しくは小型化されたフォームファクタカメラの場合などのいくつかの例では、望ましくないか、又は実用的でない場合がある。いくつかの例では、カメラはビューファインダを含まず、ユーザは、取り込まれる画像を、これを取り込む前にプレビューすることができない。本開示のカメラによって取り込まれた画像の自動アライメント及び／又は自動センタリングのための構成パラメータを、本明細書のさらなる例によって開発することができる。
【００８１】
画像の自動処理のための例のシステム及びプロセスが、図１４及び１５を参照してさらに記載される。図１４のブロック１４０５及び１４１０に示されるように、プロセス１４００は、カメラ（例えば図１５におけるカメラ１５００）によって第１の画像を取り込むステップと、第１の画像をコンピュータシステム（例えば図１５におけるコンピューティングシステム１）にワイヤレスで送信するステップとを含み得る。カメラ１５００は、画像センサ１５０２と、メモリ１５０４とを含み得る。カメラ１５００を、本明細書の例によって電力をワイヤレスで受信するように構成することができる。この点に関して、カメラ１５００は、本明細書に記載されるカメラ（例えばカメラ１２００、１２００’、１２００”）の構成要素の一部又はすべてを含むことができ、したがって簡潔にするためにこれらの構成要素の記載は繰り返されない。カメラ１５００を、１つ以上のコンピューティングシステムとワイヤレスで通信するように構成することができる。カメラ１５００は、ワイファイ対応若しくはブルーツース対応の受信機／送信機、又は本明細書に記載されるような、ワイヤレス電力の受信に合わせて追加的に構成された受信機／送信機などのワイヤレス通信デバイス１５０６を含み得る。いくつかの例では、カメラは、ビューファインダ無しとすることができ、したがって取り込まれた第１の画像を取り込み前にプレビューできていない場合がある。
【００８２】
コンピューティングシステムは、パーソナルコンピュータ、ラップトップ、又はタブレット若しくは携帯電話などのスマートデバイスであってよい。コンピューティングシステム（例えばコンピューティングシステム１）は、メモリ１５３０と、プロセッサ１５２２と、ディスプレイ１５２４と、ワイヤレス通信デバイス１５２６（例えばワイファイ対応又はブルーツース対応の受信機／送信機及び／又はワイヤレス電力をブロードキャストし、及び／又はデータを受信するようにも構成された送受信機）とを含み得る。いくつかの例では、コンピューティングシステム１は、ベースユニット又はベースユニットが取り付けられた通信デバイスであってよい。メモリを、プロセッサ実行可能命令、データ（例えばカメラから受信された画像）、及びカメラに関連する１つ以上の構成パラメータを記憶するように構成することができる。
【００８３】
カメラ１５００によって取り込まれた第１の画像を、設定又は参照画像として用いることができる。第１の画像を、図１４におけるブロック１４１５に示されるように、コンピューティングシステムのディスプレイ（例えばコンピューティングシステム１のディスプレイ１５２４）上に表示することができる。ユーザは、第１の画像を、例えば画像の中心を変更する、又は画像の配向を変更することによって修正することができる。第１の画像に対するこのユーザ指示された修正を、ブロック１４２０に示されるように、第１の画像の中心の場所又は第１の画像の配向に対する調整の指示としてコンピューティングシステムによって受信することができる。コンピューティングシステムは、ブロック１４２５に示されるように、調整に対応する構成パラメータを生成し、この構成パラメータをメモリ（例えばメモリ１５３０）内に記憶することができる。これで構成又は設定プロセスを完了することができる。その後のステップにおいて、ユーザは、カメラ（例えばカメラ１５００）によってさらなる画像を取り込むことができる。処理（例えばバッチ処理のために）、画像をコンピューティングシステム（例えばコンピューティングシステム１）に送信することができる。コンピューティングシステムは、図１４のブロック１４３０に示されるように、カメラから第２の画像を受信した後で構成パラメータを検索し、第２の画像をこの構成パラメータにしたがって自動的に修正することができる。例えば、コンピューティングシステムは、画像を、第１の画像のような対応する量だけ自動的に中央に配置するか、又は回転させることができる。この修正は、カメラから追加の画像を受信したときに、自動的に（例えばさらなるユーザ入力無しに）及び／又は一括で実行することができ、それによって、ユーザが画像に対してその後実行する必要があり得る処理ステップを低減することができる。いくつかの例では、（例えばユーザ入力によって指示された）最初の修正は、画像をトリミングするステップを含むことができ、これを構成パラメータに反映することができる。したがって、いくつかの例では、その後の画像の自動修正もまた、第２の画像を構成パラメータに基づいてトリミングするステップを含み得る。いくつかの例では、カメラは、２つ以上のコンピューティングシステムに通信により結合されるように動作可能とすることができる。例えば、カメラを、電力及びデータを第２のコンピューティングシステム（例えばコンピューティングシステム２）から受信し、及び／又はデータを第２のコンピューティングシステムに送信するように構成することができる。第２のコンピューティングシステムは、パーソナルコンピュータ、ラップトップ、スマートデバイスであってよい。いくつかの例では、第２のコンピューティングシステムは、ワイヤレス電力伝送システムのベースユニット又はそのようなベースユニットが結合される通信デバイスであってよい。いくつかの例では、第１のコンピューティングシステムを、構成パラメータをカメラに（例えばワイヤレスで）送信するように構成することができる。構成パラメータを、カメラに搭載されたメモリ（例えばメモリ１５０４）内に記憶することができ、構成パラメータを生成した最初のコンピューティングデバイスとは異なる他のコンピューティングデバイスに送信することができる。構成パラメータを、これらの他のコンピューティングデバイスに、例えば画像をこれに転送する前に、又はそれと同時に送信することができ、それによって最初の設定プロセスに用いたコンピューティングデバイス以外の追加のコンピューティングデバイスによる画像の自動処理／修正を可能にし得る。第１又は第２のようなコンピューティングシステムの指定は、例示を明確にするために提供され、例では、設定／構成ステップを第２のコンピューティングシステムによって実行することができることが、了解されるであろう。２つのコンピューティングシステムが図１５に例示されているが、本開示による実施形態が、任意の数のコンピューティングシステムを含み得ることが、さらに理解されるであろう。
【００８４】
いくつかの例では、画像の自動センタリングのためのプロセスは、カメラ（例えばカメラ１５００）によって画像を取り込むステップを含み得る。カメラはビューファインダ無しとすることができる。カメラ１５００は、画像をコンピューティングシステム（例えばコンピューティングシステム１又はコンピューティングシステム２）にワイヤレスで送信することができる。コンピューティングシステムは、画像を処理するため、例えば画像内の対象物の数に基づいて画像を自動センタリングするためのプロセッサ実行可能命令（例えば命令１５３２）を含み得る。例えば、コンピューティングシステムは、画像内の対象物の数を特定するためのプロセッサ実行可能命令を含み得る。いくつかの例では、対象物は、人の頭部であってよい１つ以上の頭部、又は建物、他の自然若しくは人造構造物などの他の対象物であってよい。対象物の数の特定に続いて、コンピューティングシステムは、いくつかの対象物から中央の対象物を決定することができる。例えば、コンピューティングシステムが、画像内に５つの頭部が存在すると決定する場合、３番目の頭部となり得る中央の頭部を中央の頭部として選択することができ、コンピューティングシステムが、７つの頭部が存在すると決定する場合、４番目の頭部を中央の頭部として決定することができ、これ以後同じように続くことができる。いくつかの例では、コンピューティングシステムは、画像を２つの隣接する対象物間の中央に配置するための命令を含み得る。例えば、偶数の対象物が特定される場合、コンピューティングシステムを、中央の２つの隣接する物体の間の相違を分割し、画像をそこで中央に配置するように構成することができる。いくつかの例では、コンピューティングシステムは、任意の所与の数の物体に対して中央の物体を特定することができるルックアップテーブルを参照することができる。コンピューティングシステムは、次いで、画像を中央対象物上で、又は２つの隣接する中央対象物間の中間点で自動的に中央に配置することができる。換言すれば、コンピューティングシステムを、取り込まれた画像内の頭部の数を計数し、取り込まれた画像を中央頭部上又は２つの隣接する中央対象物間の中間点上で中央に配置するように構成することができる。コンピューティングシステムは、本明細書の例にしたがって中央に配置された画像修正された画像を記憶することができる。
【００８５】
上記の例の詳細な説明は、包括的である、又はワイヤレス電力伝送のための方法及びシステムを上記で開示された形態に厳密に限定するようには意図されない。ワイヤレス電力伝送のための方法及びシステムの特有の実施形態及びその例が例示目的のために上記で記載されたが、当業者が認識するように、様々な等価の変形がシステムの範囲内で可能である。例えば、プロセス又はブロックは、所定の順番で提示されているが、代替的な実施形態は、異なる順番で、工程を有するルーチンを実行し、ブロックを有するシステムを使用することができ、いくつかのプロセス又はブロックを、削除し、移動させ、追加し、細分し、組み合わせ、及び／又は変形することができる。プロセス又はブロックは、連続的に実行されるものとして示されているが、そうではなくこれらのプロセス又はブロックを、並行して実行するか、又は異なる時間に実行することができる。特有の例によるベースユニット、電子デバイス、又はシステムの１つ以上の構成要素を、本明細書において記載される例の任意のベースユニット、電子デバイス、又はシステムの構成要素のいずれかと組み合わせて用いることができることが、さらに了解されるであろう。
【図１】
2018509788.tif 000003
【図２】
2018509788.tif 000004
【図３Ａ】
2018509788.tif 000005
【図３Ｂ】
2018509788.tif 000006
【図４Ａ】
2018509788.tif 000007
【図４Ｂ】
2018509788.tif 000008
【図４Ｃ】
2018509788.tif 000009
【図４Ｄ】
2018509788.tif 000010
【図４Ｅ】
2018509788.tif 000011
【図４Ｆ】
2018509788.tif 000012
【図４Ｇ】
2018509788.tif 000013
【図５】
2018509788.tif 000014
【図６】
2018509788.tif 000015
【図７】
2018509788.tif 000016
【図８】
2018509788.tif 000017
【図９Ａ】
2018509788.tif 000018
【図９Ｂ】
2018509788.tif 000019
【図１０】
2018509788.tif 000020
【図１１】
2018509788.tif 000021
【図１２Ａ】
2018509788.tif 000022
【図１２Ｂ】
2018509788.tif 000023
【図１２Ｃ】
2018509788.tif 000024
【図１２Ｄ】
2018509788.tif 000025
【図１２Ｅ】
2018509788.tif 000026
【図１２Ｆ】
2018509788.tif 000027
【図１３】
2018509788.tif 000028
【図１４】
2018509788.tif 000029
【図１５】
2018509788.tif 000030
【国際調査報告】
2018509788.tif 000031
2018509788.tif 000032
2018509788.tif 000033
2018509788.tif 000034